(57)【要約】【課題】利用者にとって有用なランキングを提供すること。【解決手段】移動体に搭載される情報端末装置に接続し、ネットワーク上のホームページを検索する情報検索サーバ１００は、受信部１０１と、集計部１０２と、作成部１０３とを備える。受信部１０１は、情報端末装置がアクセスしたホームページの情報と、当該ホームページへのアクセス後に移動体が前記ホームページに関連する地物周辺に到達した旨の情報とを複数の情報端末装置から受信する。集計部１０２は、受信部１０１によって情報が受信された場合、ホームページにアクセスした回数としての到達アクセス数を集計する。作成部１０３は、集計された到達アクセス数を用いて、各ホームページを到達アクセス数の多い順に並べた到達アクセスランキングを作成する。【選択図】図１
2009157801.tif 000002
【特許請求の範囲】
【請求項１】
移動体に搭載される情報端末装置に接続し、ネットワーク上のホームページを検索する情報検索サーバであって、
前記情報端末装置がアクセスしたホームページの情報と、当該ホームページへのアクセス後に前記移動体が前記ホームページに関連する地物（以下「関連地物」という）周辺に到達した旨の情報とを複数の前記情報端末装置から受信する受信手段と、
前記受信手段によって前記情報が受信された場合、前記ホームページにアクセスした回数としての到達アクセス数を集計する集計手段と、
集計された前記到達アクセス数を用いて、各ホームページを前記到達アクセス数の多い順に並べた到達アクセスランキングを作成する作成手段と、
を備えることを特徴とする情報検索サーバ。
【請求項２】
前記集計手段は、前記受信手段が受信した前記情報により、前記ホームページへのアクセス後の所定期間内に、前記移動体が前記関連地物周辺に到達している場合に、前記到達アクセス数を集計することを特徴とする請求項１に記載の情報検索サーバ。
【請求項３】
前記受信手段が前記移動体の走行履歴情報を受信するとともに、当該走行履歴情報を用いて、前記ホームページへのアクセス後に前記移動体が前記関連地物周辺に到達したか否かを判別する判別手段をさらに備え、
前記集計手段は、前記判別手段によって前記ホームページへのアクセス後に前記移動体が前記関連地物周辺に到達したことが判別された場合、前記到達アクセス数を集計することを特徴とする請求項１または２に記載の情報検索サーバ。
【請求項４】
前記受信手段は、前記情報端末装置が前記ホームページにアクセスしたときの位置（以下、「アクセス地点」という）の情報を受信し、
前記集計手段は、前記受信手段が受信した前記アクセス地点に応じて、加算する前記到達アクセス数を変化させて集計することを特徴とする請求項１〜３のいずれか一つに記載の情報検索サーバ。
【請求項５】
前記集計手段は、前記アクセス地点が前記関連地物から近い場合に、加算する前記到達アクセス数の割合を増加させて集計することを特徴とする請求項４に記載の情報検索サーバ。
【請求項６】
前記ホームページは、複数の施設の情報を含み、
前記受信手段は、前記移動体が前記ホームページに関連する施設（以下「関連施設」という）に到達した旨の情報を受信し、
前記集計手段は、前記受信手段によって前記関連施設に到達した旨の情報が受信された場合、当該関連施設に実際に訪問した回数としての施設訪問数を集計し、
前記作成手段は、集計された前記施設訪問数を用いて、前記複数の関連施設を前記施設訪問数の多い順に並べた施設ランキングを作成することを特徴とする請求項１〜５のいずれか一つに記載の情報検索サーバ。
【請求項７】
前記受信手段は、前記関連施設に到達した各移動体が前記ホームページとは無関係であり且つ前記関連施設周辺の施設（以下、「周辺施設」という）に到達した旨の情報を受信し、
前記集計手段は、前記受信手段によって前記周辺施設に到達した旨の情報が受信された場合、当該周辺施設に訪問した回数としての周辺施設訪問数を集計し、
前記作成手段は、集計された前記周辺施設訪問数を用いて、各周辺施設を前記周辺施設訪問数の多い順に並べた周辺施設ランキングを作成することを特徴とする請求項６に記載の情報検索サーバ。
【請求項８】
前記受信手段は、各移動体が過去に前記関連施設に到達した回数（以下、「再訪問数」という）の情報を受信し、
前記集計手段は、前記受信手段によって受信された前記再訪問数を集計し、
前記作成手段は、集計された前記再訪問数を用いて、各関連施設を前記再訪問数順に並べた再訪問ランキングを作成することを特徴とする請求項６または７に記載の情報検索サーバ。
【請求項９】
前記受信手段は、前記情報端末装置から、前記関連施設に対する利用者からの入力に基づく所定の項目の情報を受信し、
前記集計手段は、前記所定の項目ごとに平均値を集計し、
前記作成手段は、所定の項目ごとに集計された平均値に応じた施設のランキングを作成することを特徴とする請求項６〜８のいずれか一つに記載の情報検索サーバ。
【請求項１０】
前記所定の項目は、消費金額に関する項目であり、
前記作成手段は、消費金額に関する消費金額ランキングを作成することを特徴とする請求項９に記載の情報検索サーバ。
【請求項１１】
前記所定の項目は、滞在時間に関する項目であり、
前記作成手段は、滞在時間に関する滞在時間ランキングを作成することを特徴とする請求項９または１０に記載の情報検索サーバ。
【請求項１２】
前記所定の項目は、ユーザによる推奨度合いを示す項目であり、
前記作成手段は、推奨する度合いを示す推奨度ランキングを作成することを特徴とする請求項９〜１１のいずれか一つに記載の情報検索サーバ。
【請求項１３】
前記受信手段は、前記情報端末装置から、移動体の出発地から前記関連施設までの走行履歴情報を受信し、
前記作成手段は、出発地ごとに、前記関連施設までの各経路に関するランキングを作成することを特徴とする請求項６〜１２のいずれか一つに記載の情報検索サーバ。
【請求項１４】
前記受信手段は、前記情報端末装置から、前記移動体が前記関連施設までの移動の間にアクセスした他のホームページの情報を受信し、
前記集計手段は、前記関連施設までの移動の間に、前記他のホームページにアクセスした回数としての移動時アクセス数を集計し、
前記作成手段は、集計された移動時アクセス数を用いて、他のホームページを移動時アクセス数ごとに並べた移動時アクセスランキングを作成することを特徴とする請求項６〜１３のいずれか一つに記載の情報検索サーバ。
【請求項１５】
前記受信手段は、利用者の属性情報を受信し、
前記作成手段は、前記受信手段が受信した前記利用者の属性ごとに、各ランキングを作成することを特徴とする請求項１〜１４のいずれか一つに記載の情報検索サーバ。
【請求項１６】
前記作成手段は、時期または季節ごとに、各ランキングを作成することを特徴とする請求項１〜１５のいずれか一つに記載の情報検索サーバ。
【請求項１７】
前記情報端末装置から前記地物の検索要求を受け付けた際に、前記作成手段によって作成された前記ランキングを当該情報端末装置に送信する送信手段をさらに備えることを特徴とする請求項１〜１６のいずれか一つに記載の情報検索サーバ。
【請求項１８】
移動体に搭載され、ネットワーク上のホームページを検索する情報検索サーバに接続し、前記ホームページを表示することが可能な情報端末装置であって、
表示したホームページの情報を格納する格納手段と、
前記ホームページへのアクセス後に、前記移動体が当該ホームページに関連する地物（以下「関連地物」という）周辺に到達したか否かを判別する判別手段と、
前記判別手段によって前記移動体が前記ホームページへのアクセス後に前記関連地物周辺に到達したことが判別された場合、当該関連地物周辺に到達した旨の情報と、前記格納手段に格納されている前記ホームページの情報とを、送信手段を介して前記情報検索サーバへ送信する制御手段と、
を備えることを特徴とする情報端末装置。
【請求項１９】
前記ホームページへのアクセス後に前記関連地物に到達した場合に当該ホームページにアクセスしたものとして前記情報検索サーバにて作成された前記ホームページのランキング（以下、「到達アクセスランキング」という）の情報を、ホームページの検索時に前記情報検索サーバに対して要求する要求手段と、
前記要求手段の要求により、前記情報検索サーバから、前記到達アクセスランキングの情報を受信する受信手段と、
前記受信手段が受信した前記到達アクセスランキングを表示する表示手段と、
を備えることを特徴とする請求項１８に記載の情報端末装置。
【請求項２０】
前記判別手段は、前記ホームページへのアクセス後の所定期間内に、前記移動体が前記関連地物周辺に到達したか否かを判別することを特徴とする請求項１８または１９に記載の情報端末装置。
【請求項２１】
前記判別手段は、前記移動体が前記ホームページに関連する施設（以下、「関連施設」という）に到達したか否かを判別し、
前記制御手段は、前記判別手段によって前記関連施設に到達したと判別された場合、前記関連施設に到達した旨の情報を前記情報検索サーバへ送信させることを特徴とする請求項１８〜２０のいずれか一つに記載の情報端末装置。
【請求項２２】
前記判別手段は、前記関連地物周辺における走行履歴情報から、前記関連施設周辺の施設のうち、前記ホームページとは無関係の施設（以下、「周辺施設」という）に到達したか否かを判別し、
前記制御手段は、前記判別手段によって前記周辺施設に到達したと判別された場合、前記周辺施設に到達した旨の情報を前記情報検索サーバへ送信させることを特徴とする請求項２１に記載の情報端末装置。
【請求項２３】
走行履歴情報から、移動体が前記関連施設に過去に到達した回数（以下、「再訪問数」という）を検出する検出手段をさらに備え、
前記制御手段は、前記検出手段によって検出された前記再訪問数を前記情報検索サーバへ送信させることを特徴とする請求項２１または２２に記載の情報端末装置。
【請求項２４】
前記関連施設に到達した場合に、前記関連施設に対する利用者からの所定の項目に対する入力を促す通知をおこなう通知制御手段をさらに備えることを特徴とする請求項２１に記載の情報端末装置。
【請求項２５】
前記通知制御手段は、前記移動体が前記関連施設に到達後、所定時間経過後に前記入力を促す通知をおこなうことを特徴とする請求項２４に記載の情報端末装置。
【請求項２６】
前記所定の項目は、消費金額に関する項目、滞在時間に関する項目、推奨する度合いを示す項目のうち、少なくともいずれか一つを含むことを特徴とする請求項２４または２５に記載の情報端末装置。
【請求項２７】
前記制御手段は、前記移動体が前記関連施設に到達した際に、前記移動体の出発地から前記関連施設までの走行履歴情報を送信させることを特徴とする請求項２１〜２６のいずれか一つに記載の情報端末装置。
【請求項２８】
移動体に搭載される情報端末装置に接続し、ネットワーク上のホームページを検索する情報検索サーバの情報作成方法であって、
前記情報端末装置がアクセスしたホームページの情報と、当該ホームページへのアクセス後に前記移動体が前記ホームページに関連する地物（以下「関連地物」という）周辺に到達した旨の情報とを複数の前記情報端末装置から受信する受信工程と、
前記受信工程にて前記情報が受信された場合、前記ホームページにアクセスした回数としての到達アクセス数を集計する集計工程と、
集計された前記到達アクセス数を用いて、各ホームページを前記到達アクセス数の多い順に並べた到達アクセスランキングを作成する作成工程と、
を含むことを特徴とする情報作成方法。
【請求項２９】
移動体に搭載され、ネットワーク上のホームページを検索する情報検索サーバに接続し、前記ホームページを表示することが可能な情報端末装置の情報収集方法であって、
表示したホームページの情報を格納する格納工程と、
前記ホームページへのアクセス後に、前記移動体が当該ホームページに関連する地物（以下「関連地物」という）周辺に到達したか否かを判別する判別工程と、
前記判別工程にて前記移動体が前記ホームページへのアクセス後に前記関連地物周辺に到達したことが判別された場合、当該関連地物周辺に到達した旨の情報と、前記格納工程にて格納された前記ホームページの情報とを、前記情報検索サーバへ送信する制御工程と、
を含むことを特徴とする情報収集方法。
【請求項３０】
請求項２８に記載の情報作成方法をコンピュータに実行させることを特徴とする情報作成プログラム。
【請求項３１】
請求項２９に記載の情報収集方法をコンピュータに実行させることを特徴とする情報収集プログラム。
【請求項３２】
請求項３０または３１に記載のプログラムを記録したことを特徴とするコンピュータに読み取り可能な記録媒体。
【発明の詳細な説明】
【技術分野】
【０００１】
この発明は、情報検索サーバ、情報端末装置、情報作成方法、情報収集方法、情報作成プログラム、情報収集プログラム、および記録媒体に関する。
【背景技術】
【０００２】
近年、ＰＣ端末、携帯電話端末、ナビゲーション端末などとネットワーク接続し、利用者から入力されたワードを対象として、ホームページなどの検索をおこなう検索システムが普及している。このような検索システムにおいては、検索結果から利用者が必要とする情報を、利用者が容易に探し出すことを可能にするために、検索結果にランク付けをしてランクの高いものから利用者に提示することがおこなわれている。
【０００３】
たとえば、不特定多数の利用者からのアクセス数を考慮してランク付けをおこない、検索結果を提示するようにした技術が提案されている（例えば、下記特許文献１参照。）。具体的な構成としては、ホームページなどを管理するサーバからアクセス数を収集し、利用者から入力されたワードを検索条件としてスコア化し、当該スコアとアクセス数とに基づいて、ランキングを決定するようにしている。
【０００４】
【特許文献１】特開２００４−７０５７６号公報
【発明の開示】
【発明が解決しようとする課題】
【０００５】
しかしながら、上述した特許文献１に記載の技術は、利用者の心理としてはランキングの高いものからアクセスするといった傾向にあるため、ランキングの高いものについては、内容の如何にかかわらず、よりアクセス数が伸びる傾向にある。したがって、利用者にとってランキングの高いものが真に有用なものとは限らないといった問題が一例として挙げられる。
【０００６】
具体的には、たとえば、施設などのホームページの場合、提示されるホームページが実際の訪問に役立つ可能性の高いホームページなのか、または、単にアクセス数だけが高いホームページなのかが利用者にとって不明であるといった問題が一例として挙げられる。
【課題を解決するための手段】
【０００７】
上述した課題を解決し、目的を達成するため、請求項１の発明にかかる情報検索サーバは、移動体に搭載される情報端末装置に接続し、ネットワーク上のホームページを検索する情報検索サーバであって、前記情報端末装置がアクセスしたホームページの情報と、当該ホームページへのアクセス後に前記移動体が前記ホームページに関連する地物（以下「関連地物」という）周辺に到達した旨の情報とを複数の前記情報端末装置から受信する受信手段と、前記受信手段によって前記情報が受信された場合、前記ホームページにアクセスした回数としての到達アクセス数を集計する集計手段と、集計された前記到達アクセス数を用いて、各ホームページを前記到達アクセス数の多い順に並べた到達アクセスランキングを作成する作成手段と、を備えることを特徴とする。
【０００８】
また、請求項１８の発明にかかる情報端末装置は、移動体に搭載され、ネットワーク上のホームページを検索する情報検索サーバに接続し、前記ホームページを表示することが可能な情報端末装置であって、表示したホームページの情報を格納する格納手段と、前記ホームページへのアクセス後に、前記移動体が当該ホームページに関連する地物（以下「関連地物」という）周辺に到達したか否かを判別する判別手段と、前記判別手段によって前記移動体が前記ホームページへのアクセス後に前記関連地物周辺に到達したことが判別された場合、当該関連地物周辺に到達した旨の情報と、前記格納手段に格納されている前記ホームページの情報とを、送信手段を介して前記情報検索サーバへ送信する制御手段と、を備えることを特徴とする。
【０００９】
また、請求項２８に記載の情報作成方法は、移動体に搭載される情報端末装置に接続し、ネットワーク上のホームページを検索する情報検索サーバの情報作成方法であって、
前記情報端末装置がアクセスしたホームページの情報と、当該ホームページへのアクセス後に前記移動体が前記ホームページに関連する地物（以下「関連地物」という）周辺に到達した旨の情報とを複数の前記情報端末装置から受信する受信工程と、前記受信工程にて前記情報が受信された場合、前記ホームページにアクセスした回数としての到達アクセス数を集計する集計工程と、集計された前記到達アクセス数を用いて、各ホームページを前記到達アクセス数の多い順に並べた到達アクセスランキングを作成する作成工程と、を含むことを特徴とする。
【００１０】
また、請求項２９に記載の情報収集方法は、移動体に搭載され、ネットワーク上のホームページを検索する情報検索サーバに接続し、前記ホームページを表示することが可能な情報端末装置の情報収集方法であって、表示したホームページの情報を格納する格納工程と、前記ホームページへのアクセス後に、前記移動体が当該ホームページに関連する地物（以下「関連地物」という）周辺に到達したか否かを判別する判別工程と、前記判別工程にて前記移動体が前記ホームページへのアクセス後に前記関連地物周辺に到達したことが判別された場合、当該関連地物周辺に到達した旨の情報と、前記格納工程にて格納された前記ホームページの情報とを、前記情報検索サーバへ送信する制御工程と、を含むことを特徴とする。
【００１１】
また、請求項３０に記載の情報作成プログラムは、請求項２８に記載の情報作成方法をコンピュータに実行させることを特徴とする。
【００１２】
また、請求項３１に記載の情報収集プログラムは、請求項２９に記載の情報収集方法をコンピュータに実行させることを特徴とする。
【００１３】
また、請求項３２の発明にかかる記録媒体は、請求項３０または３１に記載のプログラムをコンピュータに読み取り可能に記録したことを特徴とする。
【発明を実施するための最良の形態】
【００１４】
以下に添付図面を参照して、この発明にかかる情報検索サーバ、情報端末装置、情報作成方法、情報収集方法、情報作成プログラム、情報収集プログラム、および記録媒体の好適な実施の形態を詳細に説明する。
【００１５】
（実施の形態）
（情報検索サーバ１００の機能的構成）
この発明の実施の形態にかかる情報検索サーバの機能的構成について説明する。図１は、実施の形態にかかる情報検索サーバの機能的構成の一例を示すブロック図である。
【００１６】
図１において、情報検索サーバ１００は、移動体に搭載される情報端末装置に接続し、ネットワーク上のホームページを検索するサーバである。情報検索サーバ１００は、受信部１０１と、集計部１０２と、作成部１０３と、判別部１０４と、送信部１０５とを備えている。
【００１７】
受信部１０１は、情報端末装置がアクセスしたホームページの情報と、当該ホームページへのアクセス後に移動体がホームページに関連する地物（以下「関連地物」という）周辺に到達した旨の情報とを複数の情報端末装置から受信する。ホームページの情報は、具体的には、ホームページのアドレスの情報である。ホームページは、代表的には、ウェブブラウザを起動した時や、多くのブラウザに存在する「ホームボタン」を押した時に表示されるメインページが挙げられるが、メインページの下階層のウェブページをも含む。また、このホームページは、特に、利用者が実際に訪問することのできる施設や場所に関するホームページであり、具体的には、固有の施設名、住所、電話番号などの存在する施設や場所に関するホームページである。
【００１８】
関連地物は、具体的には、ホームページに掲載される地物であり、具体例を挙げると、店舗などの施設に関するホームページの場合、当該店舗であり、また、複数の施設が掲載される観光地や複合施設などのホームページの場合、当該ホームページに掲載される各施設である。関連地物周辺は、当該関連地物から所定の距離の範囲内であり、特に観光地などの場合、関連地物と同一の市町村などの範囲である。
【００１９】
集計部１０２は、受信部１０１によって上記情報が受信された場合、ホームページにアクセスした回数としての到達アクセス数を集計する。到達アクセス数は、単なるホームページへのアクセス数ではなく、ホームページへのアクセス後に利用者が実際に訪問した場合にカウントされる数である。
【００２０】
作成部１０３は、集計された到達アクセス数を用いて、各ホームページを到達アクセス数の多い順に並べた到達アクセスランキングを作成する。作成するランキングの一覧には、順位のほかに、到達アクセス数のほか、単なるホームページへのアクセス数などを含ませてもよい。
【００２１】
また、本実施の形態において、集計部１０２は、受信部１０１が受信した情報により、ホームページへのアクセス後の所定期間内に、移動体が関連地物周辺に到達している場合に、到達アクセス数を集計するようにしてもよい。所定期間は、具体的には、利用者がホームページを閲覧したことにより実際に訪問したものとして想定することのできる期間であり、たとえば、数日、数週間といった予め設定される期間である。
【００２２】
また、本実施の形態において、判別部１０４は、任意の構成要素である。判別部１０４は、受信部１０１が受信した移動体の走行履歴情報を用いて、ホームページへのアクセス後に移動体が関連地物周辺に到達したか否かを判別する。この場合、集計部１０２は、判別部１０４によってホームページへのアクセス後に移動体が関連地物周辺に到達したことが判別された場合、ホームページにアクセスした回数としての到達アクセス数を集計する。本構成は、関連地物周辺に到達した旨の情報を受信することの手法以外に、走行履歴情報を基に判別された、関連地物周辺に到達した旨の情報を用いて到達アクセス数の集計を可能にしたものである。
【００２３】
また、本実施の形態において、受信部１０１は、情報端末装置がホームページにアクセスしたときの位置（以下、「アクセス地点」という）の情報を受信することも可能である。この場合、集計部１０２は、受信部１０１が受信したアクセス地点に応じて、加算する到達アクセス数を変化させて集計する。「アクセス地点に応じて」とは、関連地物と同じ市町村であるか否かといったことや、関連地物からの距離などに対応させるといったことである。加算する到達アクセス数を変化させるとは、具体的には、加算する到達アクセス数の割合を増加させることである。具体例を挙げると、集計部１０２は、アクセス地点が関連地物と同じ市町村である場合に、加算する到達アクセス数を、通常１のところ、それよりも大きい数（２以上）として集計する。
【００２４】
また、集計部１０２は、アクセス地点がホームページに関連する地物から近い場合に、加算する到達アクセス数の割合を増加させて集計してもよい。集計部１０２は、たとえば、アクセス地点と関連地物との市町村が異なる場合であっても、当該２地点間の距離が近い場合に、加算する到達アクセス数を、通常１のところ、それよりも大きい数（２以上）として集計する。また、２地点間の距離が近いほど加算する到達アクセス数を増加させてもよい。なお、２地点間の距離、およびこれに対応する数（ポイント）は、予め設定されている。
【００２５】
また、本実施の形態において、ホームページは、複数の施設の情報を含んでもよい。具体的には、ホームページは、観光地などのホームページである。この場合、受信部１０１は、移動体がホームページに関連する施設（以下「関連施設」という）に到達した旨の情報を受信することも可能である。つまり、受信部１０１は、上述した関連地物のうち、関連施設に到達した旨の情報を受信する。集計部１０２は、受信部１０１によって施設に到達した旨の情報が受信された場合、当該関連施設に実際に訪問した回数としての施設訪問数を集計する。作成部１０３は、集計された施設訪問数を用いて、複数の関連施設を施設訪問数の多い順に並べた施設ランキングを作成する。
【００２６】
また、本実施の形態において、受信部１０１は、関連施設に到達した各移動体が当該ホームページとは無関係であり且つ関連施設周辺の施設（以下、「周辺施設」という）に到達した旨の情報を受信することも可能である。この場合、集計部１０２は、受信部１０１によって周辺施設に到達した旨の情報が受信された場合、当該周辺施設に訪問した回数としての周辺施設訪問数を集計する。作成部１０３は、集計された周辺施設訪問数を用いて、周辺施設を周辺施設訪問数の多い順に並べた周辺施設ランキングを作成する。
【００２７】
また、本実施の形態において、受信部１０１は、各移動体が過去に関連施設に到達した回数（以下、「再訪問数」という）の情報を受信することも可能である。この場合、集計部１０２は、受信部１０１によって受信された再訪問数を集計する。作成部１０３は、集計された再訪問数を用いて、関連施設を再訪問数順に並べた再訪問ランキングを作成する。
【００２８】
また、本実施の形態において、受信部１０１は、情報検索端末装置から、関連施設に対する利用者からの入力に基づく所定の項目の情報を受信することも可能である。この場合、集計部１０２は、所定の項目ごとに平均値を集計する。作成部１０３は、所定の項目ごとに集計された平均値に応じた施設のランキングを作成する。
【００２９】
所定の項目は、関連施設を評価することができる項目であればいかなるものであってもよいが、代表的には、消費金額に関する項目、滞在時間に関する項目、ユーザによる推奨度合いを示す項目が挙げられる。この場合、作成部１０３は、受信した項目に応じて、消費金額に関する消費金額ランキング、滞在時間に関する滞在時間ランキング、推奨する度合いを示す推奨度ランキングを作成する。
【００３０】
また、本実施の形態において、受信部１０１は、情報端末装置から、移動体の出発地から関連施設までの走行履歴情報を受信することも可能である。この場合、作成部１０３は、出発地ごとに、関連施設までの経路に関するランキングを作成する。出発地ごととは、代表的には、市町村ごとである。
【００３１】
また、本実施の形態において、受信部１０１は、情報端末装置から、移動体が関連施設までの移動の間にアクセスした他のホームページの情報を受信することも可能である。この場合、集計部１０２は、関連施設までの移動の間に、他のホームページにアクセスした回数としての移動時アクセス数を集計する。作成部１０３は、集計された移動時アクセス数を用いて、他のホームページを移動時アクセス数ごとに並べた移動時アクセスランキングを作成する。
【００３２】
また、本実施の形態において、受信部１０１は、利用者の属性情報を受信することも可能である。この場合、作成部１０３は、受信部１０１が受信した利用者の属性ごとに、各ランキングを作成する。属性情報は、具体的には、利用者の趣味、嗜好、年齢、性別などの情報である。各ランキングは、上述した到達アクセスランキング、施設ランキング、周辺施設ランキング、再訪問ランキング、項目ごとのランキング、関連施設までの経路に関するランキング、または移動時アクセスランキングである。本構成は、各ランキングをパーソナライズ化させ、利用者に応じたランキングの提供を可能にするものである。
【００３３】
また、本実施の形態において、作成部１０３は、時期または季節ごとに、各ランキングを作成することも可能である。作成部１０３は、利用者の属性ごとに作成した各ランキングを、さらに時期または季節ごとに作成することも可能である。
【００３４】
また、本実施の形態において、送信部１０５は、情報端末装置から地物の検索要求を受け付けた際に、作成部１０３によって作成された各ランキングを当該情報端末装置に送信する。
【００３５】
（情報端末装置２００の機能的構成）
この発明の実施の形態にかかる情報端末装置の機能的構成について説明する。図２は、実施の形態にかかる情報端末装置の機能的構成の一例を示すブロック図である。図２において、情報端末装置２００は、移動体に搭載され、ネットワーク上のホームページを検索する情報検索サーバ１００に接続し、ホームページを表示することが可能である。この情報端末装置２００は、格納部２０１と、判別部２０２と、制御部２０３と、送信部２０４と、要求部２０５と、受信部２０６と、表示部２０７と、検出部２０８と、通知制御部２０９とを備えている。
【００３６】
格納部２０１は、表示したホームページの情報を格納する。判別部２０２は、ホームページへのアクセス後に、移動体が当該ホームページに関連する地物（以下「関連地物」という）周辺に到達したか否かを判別する。判別部２０２は、具体的には、ホームページに掲載される施設名、住所、電話番号、地図などの情報のほか、検索時におけるワードなどを基に、当該地物の位置情報を抽出する。そして、抽出した関連地物の位置情報と移動体の位置情報とに基づいて、関連地物周辺に到達したか否かを判別する。
【００３７】
制御部２０３は、判別部２０２によって移動体がホームページへのアクセス後に関連地物周辺に到達したことが判別された場合、当該関連地物周辺に到達した旨の情報と、格納部２０１に格納されているホームページの情報とを、送信部２０４を介して情報検索サーバ１００へ送信する。この送信した情報を基に、情報検索サーバ１００にて、上述した到達アクセスランキングが作成される。
【００３８】
また、本実施の形態において、要求部２０５と、受信部２０６と、表示部２０７とは任意の構成要素である。要求部２０５は、到達アクセスランキングの情報を、ホームページの検索時に要求する。受信部２０６は、要求部２０５の要求により、情報検索サーバ１００から、到達アクセスランキングの情報を受信する。表示部２０７は、受信部２０６が受信した到達アクセスランキングを表示する。ランキングの表示は、順位のほかに、上述した到達アクセス数のほか、単なるホームページへのアクセス数などを含ませて表示してもよい。また、到達アクセスランキングの情報を受信する際には、施設ランキングや再訪問ランキングなど、他のランキングを受信することも可能である。
【００３９】
また、本実施の形態において、判別部２０２は、ホームページへのアクセス後の所定期間内に、移動体が関連地物周辺に到達したか否かを判別するようにしてもよい。所定期間は、具体的には、利用者がホームページを閲覧したことにより実際に訪問したものとして想定することのできる期間であり、たとえば、数日、数週間といった予め設定される期間である。
【００４０】
また、本実施の形態において、判別部２０２は、移動体が関連施設に到達したか否かを判別することも可能である。つまり、判別部２０２は、上述した関連地物のうち、関連施設に到達したか否かを判別する。判別部２０２は、具体的には、ホームページに掲載される施設の位置情報を抽出するとともに、抽出した施設の位置情報と移動体の位置情報とに基づいて、関連施設に到達したか否かを判別する。
【００４１】
制御部２０３は、判別部２０２によって移動体が関連施設に到達したと判別された場合、当該関連施設に到達した旨の情報を情報検索サーバ１００へ送信させる。この送信した情報を基に、情報検索サーバ１００にて、上述した施設ランキングが作成される。
【００４２】
また、本実施の形態において、判別部２０２は、関連地物周辺における走行履歴情報から、関連施設周辺の施設のうち、当該ホームページとは無関係の施設（以下、「周辺施設」という）に到達したか否かを判別することも可能である。周辺施設は、具体例を挙げると、ホームページが観光施設Ａの場合、観光施設Ａ周辺に存在し且つ当該観光施設Ａのホームページに掲載されていない飲食店Ｂである。
【００４３】
この場合、制御部２０３は、判別部２０２によって周辺施設に到達したと判別された場合、周辺施設に到達した旨の情報を情報検索サーバ１００へ送信させる。上記具体例に当てはめると、制御部２０３は、ホームページが観光施設Ａとすると、観光施設Ａ周辺の飲食店Ｂに到達した場合、飲食店Ｂに到達した旨の情報を送信させる。この送信した情報を基に、情報検索サーバ１００にて、上述した周辺施設ランキングが作成される。
【００４４】
また、本実施の形態において、検出部２０８は、任意の構成要素である。検出部２０８は、走行履歴情報から、移動体が関連施設に過去に到達した回数（以下、「再訪問数」という）を検出する。この場合、制御部２０３は、検出部２０８によって検出された再訪問数を情報検索サーバ１００へ送信させる。この送信した情報を基に、情報検索サーバ１００にて、上述した再訪問ランキングが作成される。
【００４５】
また、本実施の形態において、通知制御部２０９は、任意の構成要素である。通知制御部２０９は、関連施設に到達した場合に、関連施設に対する利用者からの所定の項目に対する入力を促す通知をおこなう。利用者から入力された情報は、送信部２０４により情報検索サーバ１００に送信される。この送信した情報を基に、情報検索サーバ１００にて、上述した所定の項目ごとの施設のランキングが作成される。
【００４６】
また、本実施の形態において、通知制御部２０９は、移動体が関連施設に到達後、所定時間経過後に入力を促す通知をおこなうようにしてもよい。所定時間は、利用者が関連施設にて所用を済ませることの可能な予め設定される時間である。なお、この所定時間は、施設ごとに設定される時間であってもよい。
【００４７】
また、通知制御部２０９は、情報端末装置２００の電源がオフからオンになること、具体的には、たとえば、移動体のエンジンがオフからオンになった場合に、入力を促す通知をおこなうことも可能である。また、利用者からの入力がおこなわれずに移動体が発進した場合などには、地図表示に切り替わるとともに、信号待ちなどの停車時や、他の目的地や立ち寄り地に到達したときに、適宜入力を促す通知をおこなうようにしてもよい。
【００４８】
また、所定の項目の入力を促す際に、利用者の趣味、嗜好、性別等の属性情報に対する入力を促すようにしてもよい。入力された情報は、送信部２０４から情報検索サーバ１００に送信される。
【００４９】
また、本実施の形態において、所定の項目は、消費金額に関する項目、滞在時間に関する項目、推奨する度合いを示す項目のうち、少なくともいずれか一つを含むことが望ましい。この情報を基に、情報検索サーバ１００にて、上述した、消費金額ランキング、滞在時間ランキング、推奨度ランキングが作成される。
【００５０】
また、本実施の形態において、制御部２０３は、移動体が関連施設に到達した際に、移動体の出発地から関連施設までの走行履歴情報を送信させることも可能である。この送信した情報を基に、情報検索サーバ１００にて、上述した経路に関するランキングが作成される。
【００５１】
また、制御部２０３は、移動体が関連施設までの移動の間にアクセスした他のホームページの情報を送信させることも可能である。この送信した情報を基に、情報検索サーバ１００にて、上述した移動時アクセスランキングが作成される。
【００５２】
（情報検索サーバの情報作成処理手順）
つぎに、図３を用いて、情報検索サーバの情報作成処理手順について説明する。図３は、本実施の形態にかかる情報検索サーバの情報作成処理手順の一例を示すフローチャートである。
【００５３】
図３のフローチャートにおいて、情報検索サーバ１００は、情報端末装置２００から、情報端末装置２００がアクセスしたホームページの情報と、当該ホームページへのアクセス後に当該ホームページに関連する地物（関連地物）周辺に到達した旨の情報とを受信したか否かを判断する（ステップＳ３０１）。当該情報を受信するまで待機状態にあり（ステップＳ３０１：Ｎｏのループ）、当該情報を受信すると（ステップＳ３０１：Ｙｅｓ）、到達アクセス数を集計する（ステップＳ３０２）。このあと、各ホームページを到達アクセス数の多い順に並べた到達アクセスランキングを作成し（ステップＳ３０３）、一連の処理を終了する。
【００５４】
（情報端末装置の情報収集処理手順）
つぎに、図４を用いて、情報端末装置の情報収集処理手順について説明する。図４は、本実施の形態にかかる情報端末装置の情報収集処理手順の一例を示すフローチャートである。
【００５５】
図４のフローチャートにおいて、情報端末装置２００は、ホームページにアクセスしたか否かを判断する（ステップＳ４０１）。ホームページにアクセスするまで待機状態にあり（ステップＳ４０１：Ｎｏのループ）、ホームページにアクセスすると（ステップＳ４０１：Ｙｅｓ）、ホームページの情報を格納する（ステップＳ４０２）。
【００５６】
そして、所定期間内に当該ホームページに関連する地物（関連地物）周辺に到達したか否かを判断する（ステップＳ４０３）。関連地物周辺に到達したと判断した場合（ステップＳ４０３：Ｙｅｓ）、情報検索サーバ１００へ、当該地物周辺に到達した旨の情報と、ホームページの情報とを送信し（ステップＳ４０４）、一連の処理を終了する。一方、ステップＳ４０３において、関連地物周辺に到達していないと判断した場合（ステップＳ４０３：Ｎｏ）、一連の処理を終了する。
【００５７】
以上説明したように、本実施の形態にかかる情報検索サーバ１００は、情報端末装置２００によるホームページへのアクセス後に移動体が当該ホームページに関連する地物（関連地物）周辺に到達した場合に、到達アクセス数を集計するとともに、到達アクセスランキングを作成するようにした。つまり、利用者がホームページを閲覧した後、実際に当該ホームページの施設を訪問した場合に、アクセス数が計上される。
【００５８】
したがって、到達アクセスランキングの上位のものほど、訪問前に閲覧された回数の多いホームページを示しており、当該ホームページが訪問時の参考にされているものと想定できる。これにより、利用者に対して訪問時に役立つランキングを提供することができるとともに、利用者は、行き先を検討する際に有用なホームページに簡単にアクセスすることが可能になる。
【００５９】
また、本実施の形態にかかる情報検索サーバ１００において、ホームページへのアクセス後の所定期間内に、移動体が関連地物周辺に到達している場合に、集計部１０２により到達アクセス数を集計するようにすれば、ホームページを閲覧してから到達するまでの期間を限定したことにより、実際の訪問に際して当該ホームページを参考にした可能性の高いものを到達アクセス数として集計することができる。
【００６０】
また、本実施の形態にかかる情報検索サーバ１００において、判別部１０４を設けるようにし、移動体の走行履歴情報を用いて、ホームページへのアクセス後に移動体の関連地物周辺への到達を判別した場合に、到達アクセス数を集計するようにすれば、移動体が関連地物周辺に到達した旨の情報を受信することの手法以外に、走行履歴情報を基に判別された、関連地物周辺に到達した旨の情報を用いて到達アクセス数の集計をおこなうことができる。
【００６１】
また、本実施の形態にかかる情報検索サーバ１００において、情報端末装置２００がホームページにアクセスしたときの位置（アクセス地点）に応じて、加算する到達アクセス数を変化させて集計するようにすれば、実際の訪問に際して当該ホームページを参考にした可能性の高いものについて、到達アクセス数を増加させて加算することができる。
【００６２】
特に、集計部１０２により、アクセス地点が地物から近い場合に、加算する到達アクセス数の割合を増加させて集計するようにすれば、当該ホームページを参考にして訪問した可能性のより高いものについて通常の数より多い到達アクセス数を加算することができる。したがって、ホームページへのアクセスと訪問とがより反映された到達アクセスランキングを提供することができる。
【００６３】
また、本実施の形態にかかる情報検索サーバ１００において、ホームページのアクセス後に、関連施設に到達した旨の情報が受信された場合、当該関連施設に実際に訪問した回数としての施設訪問数を集計するとともに、施設訪問数を用いて施設ランキングを作成するようにすれば、利用者がホームページを閲覧した後に、実際に訪問した施設のランキングを提供することができる。したがって、施設アクセスランキングの上位のものほど、訪問前に閲覧された施設を示しており、当該ホームページが訪問時の参考にされているものと想定することができる。これにより、利用者に対して訪問時に役立つランキングを提供することができる。
【００６４】
また、本実施の形態にかかる情報検索サーバ１００において、周辺施設に到達した旨の情報が受信された場合、当該周辺施設に訪問した回数としての周辺施設訪問数を集計するとともに、集計された周辺施設訪問数を用いて、周辺施設ランキングを作成するようにすれば、利用者は、関連施設に訪れた人々が他に訪問した周辺施設がわかり、行き先を検討する際に有用な情報を得ることができる。
【００６５】
また、本実施の形態にかかる情報検索サーバ１００において、作成部１０３が関連施設への再訪問数を用いて、再訪問ランキングを作成するようにすれば、リピータの多い施設がわかる。リピータが多いということは、その場所の評価が高いということであり、利用者は、飽きのこない優良な施設がわかり、行き先を検討する際に有用な情報を得ることができる。
【００６６】
また、本実施の形態にかかる情報検索サーバ１００において、作成部１０３が関連施設に対する利用者からの入力に基づく所定の項目ごとに施設のランキングを作成するようにすれば、その施設の評価がわかる。したがって、利用者は、行き先を検討する際に有用な情報を得ることができる。
【００６７】
また、本実施の形態にかかる情報検索サーバ１００において、作成部１０３が消費金額ランキングを作成するようにすれば、関連施設に訪れた結果として、実際に費やした費用がわかるので、行き先検討時の参考にすることができる。
【００６８】
また、本実施の形態にかかる情報検索サーバ１００において、作成部１０３が滞在時間ランキングを作成するようにすれば、関連施設に訪れた結果として、実際に費やした時間がわかるので、行き先検討時の参考にすることができる。
【００６９】
また、本実施の形態にかかる情報検索サーバ１００において、作成部１０３が推奨度ランキングを作成するようにすれば、関連施設に訪れた結果として、他の利用者のおすすめ度がわかるので、行き先検討時の参考にすることができる。
【００７０】
また、本実施の形態にかかる情報検索サーバ１００において、作成部１０３が移動体の出発地から関連施設までの走行履歴情報を用いて、出発地ごとに、関連施設までの各経路に関するランキングを作成するようにすれば、ほぼ同じ出発地の他の利用者がどの時刻にどの経路により関連施設に到達したのかがわかるので、ドライブスケジュールに役立てることができる。
【００７１】
また、本実施の形態にかかる情報検索サーバ１００において、関連施設までの移動の間にアクセスした他のホームページの情報を受信した場合、他のホームページにアクセスした回数としての移動時アクセス数を集計するとともに、移動時アクセス数を用いて移動時アクセスランキングを作成するようにすれば、利用者は、同じ目的地の人たちが移動時にアクセスしたホームページを閲覧することができ、他の行き先を検討する際の参考にすることができる。
【００７２】
また、本実施の形態にかかる情報検索サーバ１００において、作成部１０３が利用者の属性ごとに各ランキングを作成するようにすれば、自分と同じ趣味や嗜好の人の行き先を参考にすることができる。また、時期や季節ごとに各ランキングを作成するようにすれば、観光地などへ観光シーズンに訪れることができる一方、利用者によっては人の少ない閑散とした時期に訪れるといったことも可能になる。
【００７３】
また、本実施の形態にかかる情報検索サーバ１００において、情報端末装置２００から地物の検索要求を受け付けた際に、ランキングを当該情報端末装置２００に送信するようにすれば、利用者は検索時に各ランキングの情報を得ることができ、行き先を検討する際に有用なホームページに簡単にアクセスすることができる。
【００７４】
本実施の形態にかかる情報端末装置２００は、ホームページへのアクセス後に、移動体が関連地物周辺に到達したことを判別した場合、当該地物周辺に到達した旨の情報と、格納しているホームページの情報とを、情報検索サーバ１００へ送信するようにした。これにより、情報検索サーバ１００にて到達アクセスランキングを作成することができる。
【００７５】
また、本実施の形態にかかる情報端末装置２００において、到達アクセスランキングの情報を、情報検索サーバ１００に対してホームページの検索時に要求し、当該要求により情報検索サーバ１００から受信した到達アクセスランキングを表示するようにすれば、利用者は、行き先を検討する際に有用なホームページに簡単にアクセスすることが可能になる。
【００７６】
また、本実施の形態にかかる情報端末装置２００において、ホームページへのアクセス後の所定期間内に、移動体が地物周辺に到達したものか否かを判別するようにしたので、ホームページを閲覧してから到達までの期間を限定したことにより、情報検索サーバ１００では実際の訪問に際して当該ホームページを参考にした可能性の高いものを到達アクセス数として集計することができる。したがって、利用者は、他の利用者が訪問時に参考にしたホームページに簡単にアクセスすることができる。
【００７７】
また、本実施の形態にかかる情報端末装置２００において、関連施設に到達したと判別した場合、関連施設に到達した旨の情報を情報検索サーバ１００へ送信させるようにしたので、情報検索サーバ１００にて施設ランキングを作成することができる。したがって、利用者は、施設の訪問に役立つランキングを知ることができる。
【００７８】
また、本実施の形態にかかる情報端末装置２００において、ホームページに関連する地物周辺における走行履歴情報を用いて周辺施設に到達したと判別した場合、周辺施設に到達した旨の情報を情報検索サーバ１００へ送信するようにすれば、情報検索サーバ１００にて周辺施設ランキングを作成することができる。したがって、利用者は、周辺施設ランキングにより、関連施設に訪れた人々が他に訪問した周辺施設がわかり、行き先を検討する際に有用な情報を得ることができる。
【００７９】
また、本実施の形態にかかる情報端末装置２００において、走行履歴情報から、再訪問数を検出するようにし、検出された再訪問数を情報検索サーバ１００へ送信させるようにすれば、情報検索サーバ１００にて再訪問ランキングを作成することができる。したがって、利用者は、再訪問ランキングにより、飽きのこない優良な施設がわかり、行き先を検討する際に有用な情報を得ることができる。
【００８０】
また、本実施の形態にかかる情報端末装置２００において、関連施設に到達した場合に、関連施設に対する利用者からの所定の項目に対する入力を促す通知をおこなうようにすれば、利用者に所定の項目を入力させることができる。この入力された情報を基に、情報検索サーバ１００では、所定の項目ごとに施設のランキングを作成することができる。したがって、利用者は、当該ランキングにより、行き先を検討する際に有用な情報を得ることができる。
【００８１】
また、本実施の形態にかかる情報端末装置２００において、移動体が関連施設に到達後、所定時間経過後に入力を促す通知をおこなうようにすれば、利用者の当該施設に対する記憶が薄れないうちに、入力させることができるとともに、入力をおこなう行為自体を忘れてしまうといったことを防止することができる。
【００８２】
また、本実施の形態にかかる情報端末装置２００において、所定の項目を、消費金額に関する項目、滞在時間に関する項目、推奨する度合いを示す項目のうち、少なくともいずれか一つを含むようにすれば、情報検索サーバ１００にて、消費金額ランキング、滞在時間ランキング、推奨度ランキングを作成することができる。
【００８３】
また、本実施の形態にかかる情報端末装置２００において、移動体が関連施設に到達した際に、移動体の出発地から関連施設までの走行履歴情報を送信させるようにすれば、情報検索サーバ１００にて、経路に関するランキングを作成することができる。したがって、利用者は、ほぼ同じ出発地の他の利用者がどの時刻にどの経路により関連施設に到達したのかがわかるので、ドライブスケジュールに役立てることができる。
【実施例】
【００８４】
以下に、本発明の実施例について説明する。本実施例では、情報検索サーバとナビゲーション装置とを備えた情報検索システムについて、説明する。なお、以下の説明では、車両に搭載されるナビゲーション装置によって、本発明にかかる情報端末装置を実施した場合の一例について説明する。
【００８５】
（情報検索システムの概要）
まず、図５を用いて、本実施例にかかる情報検索システムの概要について説明する。図５は、本実施例にかかる情報検索システムの概要を示す説明図である。
【００８６】
図５において、情報検索システム５００は、情報検索サーバ５０１と、複数のナビゲーション装置５０２とから構成されている。情報検索サーバ５０１と、ナビゲーション装置５０２とは、ネットワーク５１０により通信接続される。
【００８７】
情報検索サーバ５０１は、各種ランキングを格納するＤＢ（Ｄａｔｅ  Ｂａｓｅ）を備える。このランキングは、ホームページの閲覧後に実際にホームページ周辺の地物に訪れた際に集計され、作成される到達アクセスランキングや、訪問した施設の施設ランキングや、過去に関連施設に到達した回数のランキングを示した再訪問ランキングなどである。また、情報検索サーバ５０１は、ナビゲーション装置５０２に対して、ホームページの検索要求に応じた検索結果としてホームページの情報と到達アクセスランキングとを送信する。
【００８８】
ナビゲーション装置５０２は、移動体などの車両に搭載されており、情報検索サーバ５０１から受信したホームページや、検索結果としてのランキングの表示をおこなうほか、アクセスしたホームページのアドレス情報や、車両がホームページに関連する地物周辺に到達した旨の情報などを情報検索サーバ５０１に送信する。
【００８９】
（情報検索サーバのハードウェア構成）
図６を用いて、本実施例にかかる情報検索サーバ５０１のハードウェア構成について説明する。図６は、本実施例にかかる情報検索サーバ５０１のハードウェア構成の一例を示すブロック図である。
【００９０】
図６において、情報検索サーバ５０１は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、入力デバイス６０８と、通信Ｉ／Ｆ（インターフェース）６０９と、を備えている。また、各構成部６０１〜６０９はバス６２０によってそれぞれ接続されている。
【００９１】
ＣＰＵ６０１は、情報検索サーバ５０１の全体の制御を司る。ＲＯＭ６０２やフラッシュＲＯＭ等の書き換え可能な不揮発性メモリは、ブートプログラム、通信プログラム、情報作成プログラムなどの各種プログラムを記録している。また、ＲＡＭ６０３は、ＣＰＵ６０１のワークエリアとして使用される。
【００９２】
情報作成プログラムは、ナビゲーション装置５０２がアクセスしたホームページの情報と、当該ホームページへのアクセス後に車両がホームページに関連する地物周辺に到達した旨の情報とを複数のナビゲーション装置５０２から通信Ｉ／Ｆ６０９を介して受信した場合に、当該ホームページにアクセスした回数としての到達アクセス数を集計するとともに、各ホームページを到達アクセス数の多い順に並べた到達アクセスランキングを作成する。
【００９３】
また、作成されるランキングは、到達アクセスランキングのほかにも、施設ランキング、再訪問ランキング、周辺の施設の周辺施設ランキング、施設において消費した金額の消費金額ランキング、施設において滞在した時間の滞在時間ランキング、推奨度を示す推奨度（おすすめ度）ランキング、出発地から施設までの経路に関するランキング、施設までの移動の間にアクセスした移動時アクセスランキングなどがある。作成されたランキングは、ＤＢに格納されるとともに、ナビゲーション装置５０２からの検索要求に応じて通信Ｉ／Ｆ６０９を介してナビゲーション装置５０２に送信される。
【００９４】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、たとえば、ＨＤ（ハードディスク）やＦＤ（フレキシブルディスク）を用いることができる。
【００９５】
光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータの読み出される着脱自在な記録媒体である。光ディスク６０７は、書き込み可能な記録媒体を利用することもできる。また、この着脱自在な記録媒体として、光ディスク６０７のほか、ＭＯ、メモリカードなどであってもよい。
【００９６】
通信Ｉ／Ｆ６０９は、無線を介してネットワークに接続され、情報検索サーバ５０１とＣＰＵ６０１とのインターフェースとして機能する。通信Ｉ／Ｆ６０９は、さらに、無線を介してインターネットなどの通信網に接続され、この通信網とＣＰＵ６０１とのインターフェースとしても機能する。
【００９７】
図１に示した情報検索サーバ１００が備える、受信部１０１と、集計部１０２と、作成部１０３と、判別部１０４と、送信部１０５とは、図６に示した情報検索サーバ５０１におけるＲＯＭ６０２、ＲＡＭ６０３、磁気ディスク６０５、光ディスク６０７などに記録されたプログラムやデータを用いて、ＣＰＵ６０１が所定のプログラムを実行し、情報検索サーバ５０１における各部を制御することによってその機能を実現する。
【００９８】
すなわち、本実施例の情報検索サーバ５０１は、情報検索サーバ５０１における記録媒体としてのＲＯＭ６０２やフラッシュＲＯＭ等の書き換え可能な不揮発性メモリに記録されている情報作成プログラムを実行することにより、図１に示した情報検索サーバ１００が備える機能を、図３に示した情報作成処理手順で実行することができる。
【００９９】
（ナビゲーション装置のハードウェア構成）
図７を用いて、本実施例にかかるナビゲーション装置５０２のハードウェア構成について説明する。図７は、本実施例にかかるナビゲーション装置５０２のハードウェア構成の一例を示すブロック図である。
【０１００】
図７において、ナビゲーション装置５０２は、車両などの移動体に搭載されており、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、マイク７０９と、スピーカ７１０と、入力デバイス７１１と、映像Ｉ／Ｆ７１２と、ディスプレイ７１３と、通信Ｉ／Ｆ７１４と、ＧＰＳユニット７１５と、各種センサ７１６とを備えている。また、各構成部７０１〜７１６はバス７２０によってそれぞれ接続されている。
【０１０１】
ＣＰＵ７０１は、ナビゲーション装置５０２の全体の制御を司る。ＲＯＭ７０２やフラッシュＲＯＭ等の書き換え可能な不揮発性メモリは、ブートプログラム、現在地点算出プログラム、経路探索プログラム、経路誘導プログラム、情報収集プログラムなどの各種プログラムを記録している。また、ＲＡＭ７０３は、ＣＰＵ７０１のワークエリアとして使用される。
【０１０２】
現在地点算出プログラムは、たとえば、後述するＧＰＳユニット７１５および各種センサ７１６の出力情報に基づいて、車両の現在地点（ナビゲーション装置５０２の現在地点）を算出させる。
【０１０３】
経路探索プログラムは、後述する磁気ディスク７０５に記録されている地図データなどを利用して、出発地から目的地点までの最適な経路を探索させる。ここで、最適な経路とは、目的地点までの最短（または最速）経路やユーザが指定した条件に最も合致する経路などである。また、目的地点のみならず、立ち寄り地点や休憩地点までの経路を探索してもよい。探索された誘導経路は、ＣＰＵ７０１を介して音声Ｉ／Ｆ７０８や映像Ｉ／Ｆ７１２へ出力される。
【０１０４】
経路誘導プログラムは、経路探索プログラムを実行することによって探索された誘導経路情報、現在地点算出プログラムを実行することによって算出された車両の現在地点情報、磁気ディスク７０５から読み出された地図データに基づいて、リアルタイムな経路誘導情報を生成させる。生成された経路誘導情報は、ＣＰＵ７０１を介して音声Ｉ／Ｆ７０８や映像Ｉ／Ｆ７１２へ出力される。
【０１０５】
情報収集プログラムは、表示したホームページの情報を磁気ディスク７０５に記録させるとともに、車両がホームページへのアクセス後にホームページに関連する地物周辺に到達したことを判別した場合、当該地物周辺に到達した旨の情報と、格納されているホームページの情報とを、通信Ｉ／Ｆ７１４を介して情報検索サーバ５０１へ送信する。
【０１０６】
また、送信する情報は、このほかにも、施設に到達した旨の情報や、過去に当該施設に到達した回数の情報、利用者からの入力に基づく当該施設に対する消費金額に関する情報などがある。また、通信Ｉ／Ｆ７１４を介して情報検索サーバ５０１から受信した到達アクセスランキングの情報を、音声Ｉ／Ｆ７０８または映像Ｉ／Ｆ７１２へ出力する。
【０１０７】
磁気ディスクドライブ７０４は、ＣＰＵ７０１の制御にしたがって磁気ディスク７０５に対するデータの読み取り／書き込みを制御する。磁気ディスク７０５は、磁気ディスクドライブ７０４の制御で書き込まれたデータを記録する。磁気ディスク７０５としては、たとえば、ＨＤ（ハードディスク）やＦＤ（フレキシブルディスク）を用いることができる。磁気ディスク７０５には、アクセスしたホームページのアドレス情報や、当該ホームページに掲載される施設の位置情報などが記録される。
【０１０８】
光ディスクドライブ７０６は、ＣＰＵ７０１の制御にしたがって光ディスク７０７に対するデータの読み取り／書き込みを制御する。光ディスク７０７は、光ディスクドライブ７０６の制御にしたがってデータの読み出される着脱自在な記録媒体である。光ディスク７０７は、書き込み可能な記録媒体を利用することもできる。また、この着脱自在な記録媒体として、光ディスク７０７のほか、ＭＯ、メモリカードなどであってもよい。
【０１０９】
音声Ｉ／Ｆ７０８は、音声入力用のマイク７０９および音声出力用のスピーカ７１０に接続される。マイク７０９は、たとえば、車両のサンバイザー付近に設置され、その数は単数でも複数でもよい。マイク７０９に受音された音声は、音声Ｉ／Ｆ７０８内でＡ／Ｄ変換される。マイク７０９から入力された音声は、利用者ごとの音声情報として、適宜、磁気ディスク７０５または光ディスク７０７に記録される。スピーカ７１０からは、音声が出力される。
【０１１０】
入力デバイス７１１は、文字、数値、各種指示などの入力のための複数のキーを備えたリモコン、キーボード、マウス、タッチパネルなどが挙げられる。入力デバイス７１１は、リモコン、キーボード、マウス、タッチパネルのうち、いずれか一つの形態によって実現されてもよいし、複数の形態によって実現されてもよい。この入力デバイス７１１を介して利用者から消費金額に関する入力など、所定の項目の入力がおこなわれる。
【０１１１】
映像Ｉ／Ｆ７１２は、ディスプレイ７１３と接続される。映像Ｉ／Ｆ７１２は、具体的には、たとえば、ディスプレイ７１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７１３を表示制御する制御ＩＣなどによって構成される。
【０１１２】
ディスプレイ７１３には、アイコン、カーソル、メニュー、ウインドウ、あるいは文字や画像などの各種データが表示される。ディスプレイ７１３には、地図データが２次元または３次元に描画される。ディスプレイ７１３に表示された地図データには、ナビゲーション装置５０２を搭載した車両の現在地点をあらわすマークなどを重ねて表示することができる。車両の現在地点は、ＣＰＵ７０１によって算出される。
【０１１３】
このディスプレイ７１３は、たとえば、ＣＲＴ、ＴＦＴ液晶ディスプレイ、プラズマディスプレイなどを採用することができる。ディスプレイ７１３は、たとえば、車両のダッシュボード付近に設置される。ディスプレイ７１３は、車両のダッシュボード付近のほか、車両の後部座席周辺などに設置するなどして、車両内に複数設置してもよい。
【０１１４】
通信Ｉ／Ｆ７１４は、無線を介してネットワークに接続され、ナビゲーション装置５０２とＣＰＵ７０１とのインターフェースとして機能する。通信Ｉ／Ｆ７１４は、さらに、無線を介してインターネットなどの通信網に接続され、この通信網とＣＰＵ７０１とのインターフェースとしても機能する。
【０１１５】
通信網には、ＬＡＮ、ＷＡＮ、公衆回線網や携帯電話網などがある。具体的には、通信Ｉ／Ｆ７１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路情報を取得する。なお、ＶＩＣＳは登録商標である。
【０１１６】
ＧＰＳユニット７１５は、ＧＰＳ衛星からの電波を受信し、車両の現在地点を示す情報を出力する。ＧＰＳユニット７１５の出力情報は、後述する各種センサ７１６の出力値とともに、ＣＰＵ７０１による車両の現在地点の算出に際して利用される。現在地点を示す情報は、たとえば緯度・経度、高度などの、地図データ上の１点を特定する情報である。
【０１１７】
各種センサ７１６は、車速センサ、加速度センサ、角速度センサなどの、車両の位置や挙動を判断することが可能な情報を出力する。各種センサ７１６の出力値は、ＣＰＵ７０１による車両の現在地点の算出や、速度や方位の変化量の測定などに用いられる。
【０１１８】
図２に示した情報端末装置２００が備える、格納部２０１と、判別部２０２と、制御部２０３と、送信部２０４と、要求部２０５と、受信部２０６と、表示部２０７と、検出部２０８と、通知制御部２０９とは、図７に示したナビゲーション装置５０２におけるＲＯＭ７０２、ＲＡＭ７０３やフラッシュＲＯＭ等の書き換え可能な不揮発性メモリ、磁気ディスク７０５、光ディスク７０７などに記録されたプログラムやデータを用いて、ＣＰＵ７０１が所定のプログラムを実行し、ナビゲーション装置５０２における各部を制御することによってその機能を実現する。
【０１１９】
すなわち、本実施例のナビゲーション装置５０２は、ナビゲーション装置５０２における記録媒体としてのＲＯＭ７０２やフラッシュＲＯＭ等の書き換え可能な不揮発性メモリに記録されている情報収集プログラムを実行することにより、図２に示した情報端末装置２００が備える機能を、図４に示した情報収集処理手順で実行することができる。
【０１２０】
（情報検索サーバがおこなう到達アクセスランキングを作成する処理の一例）
つぎに、図８を用いて、本実施例にかかる情報検索サーバがおこなう到達アクセスランキングを作成する処理の一例について説明する。図８は、本実施例にかかる情報検索サーバがおこなう到達アクセスランキングを作成する処理の一例を示すフローチャートである。
【０１２１】
図８において、情報検索サーバ５０１は、ホームページの情報と、所定期間内にホームページに関連する地物（関連地物）周辺に到達した旨の情報とを受信したか否かを判断する（ステップＳ８０１）。上記情報を受信するまで待機状態にあり（ステップＳ８０１：Ｎｏのループ）、上記情報を受信すると（ステップＳ８０１：Ｙｅｓ）、受信した情報にアクセス地点の情報が含まれているか否かを判断する（ステップＳ８０２）。なお、アクセス地点の情報は、ナビゲーション装置５０２がホームページにアクセスしたときの車両の位置情報である。
【０１２２】
ステップＳ８０２において、受信した情報にアクセス地点の情報が含まれている場合（ステップＳ８０２：Ｙｅｓ）、アクセス地点から関連地物までの距離が所定範囲内か否かを判断する（ステップＳ８０３）。アクセス地点から関連地物までの距離が所定範囲内であると判断した場合（ステップＳ８０３：Ｙｅｓ）、関連地物までの距離に応じて、加算する到達アクセス数を増加させる（ステップＳ８０４）。
【０１２３】
関連地物までの距離に応じた数は、たとえば、関連地物からの距離が予め設定される範囲内のうち最も近い場合に１０とし、関連地物からの距離に応じて段階的に小さくし、関連地物からの距離が所定範囲となる地点を２とし、所定範囲を超えると（ステップＳ８０３：Ｎｏ）１とする。なお、ステップＳ８０３においては、たとえば、アクセス地点が地物と同一市町村であるか否かを判断するようにしてもよく、この場合、同一市町村である際に、ステップＳ８０４の処理として、加算する到達アクセス数を増加させるようにすればよい。
【０１２４】
このあと、到達アクセス数を集計する（ステップＳ８０５）。そして、到達アクセスランキングを作成し（ステップＳ８０６）、一連の処理を終了する。この作成される到達アクセスランキングは、不特定多数の利用者がホームページへのアクセス後に到達した今までの累計であり、たとえば、月単位、年単位ごとに作成されるものであってもよい。
【０１２５】
一方、ステップＳ８０２において、受信した情報にアクセス地点の情報が含まれていない場合（ステップＳ８０２：Ｎｏ）、ステップＳ８０５に移行する。なお、この場合において加算される数は１である。また、ステップＳ８０３において、アクセス地点から関連地物までの距離が所定範囲内ではないと判断した場合（ステップＳ８０３：Ｎｏ）、ステップＳ８０５に移行する。
【０１２６】
なお、上述したステップＳ８０１においては、移動体が関連地物周辺に到達した旨の情報を受信するようにしているが、これに限られるものではなく、移動体の走行履歴情報を受信するようにし、情報検索サーバ５０１側で、ホームページへのアクセス後に移動体の関連地物周辺への到達を判別するようにすることも可能である。
【０１２７】
上述した処理によれば、ホームページへのアクセス後に車両が関連地物周辺に到達した場合に、到達アクセス数を集計するとともに、到達アクセスランキングを作成するようにした。つまり、利用者がホームページを閲覧した後、実際に当該ホームページの施設を訪問した場合に、アクセス数が計上される。
【０１２８】
したがって、到達アクセスランキングの上位のものほど、訪問前に閲覧された回数の多いホームページを示しており、当該ホームページが訪問時の参考にされているものと想定できるので、利用者に対して訪問時に役立つランキングを提供することができる。これにより、利用者は、行き先を検討する際に有用なホームページに簡単にアクセスすることが可能になる。
【０１２９】
また、アクセス地点に応じて、加算する到達アクセス数を変化させて集計するようにしたので、実際の訪問に際して当該ホームページを参考にした可能性の高いものについて、到達アクセス数を増加させて加算することができる。特に、アクセス地点が地物から近い場合に、加算する到達アクセス数の割合を増加させて集計するようにしたので、当該ホームページを参考にして訪問した可能性のより高いものについて通常の数より多い到達アクセス数を加算することができる。したがって、ホームページへのアクセスと訪問とがより反映された到達アクセスランキングを提供することができる。
【０１３０】
（情報検索サーバがおこなう各ランキングを作成する処理の一例）
つぎに、図９を用いて、本実施例にかかる情報検索サーバがおこなう各ランキングを作成する処理の一例について説明する。図９は、本実施例にかかる情報検索サーバがおこなう各ランキングを作成する処理の一例を示すフローチャートである。なお、図９においては、図８のステップＳ８０１に示した、関連地物周辺に到達したことを前提とする。
【０１３１】
図９のフローチャートにおいて、情報検索サーバ５０１は、ホームページに関連する施設（関連施設）に到達した旨の情報を受信したか否かを判断する（ステップＳ９０１）。関連施設に到達した旨の情報を受信するまで待機状態にあり（ステップＳ９０１：Ｎｏのループ）、関連施設に到達した旨の情報を受信すると（ステップＳ９０１：Ｙｅｓ）、施設訪問数を集計する（ステップＳ９０２）。具体的には、施設訪問数を１ポイント加算する。なお、この場合においても、上述したアクセス地点に応じて加算する施設訪問数の数を変化させることも可能である。
【０１３２】
そして、施設訪問数を用いて施設ランキングを作成する（ステップＳ９０３）。このあと、受信した情報に再訪問数の情報が含まれているか否かを判断する（ステップＳ９０４）。ステップＳ９０４において、受信した情報に再訪問数の情報が含まれていると判断した場合（ステップＳ９０４：Ｙｅｓ）、再訪問数を集計する（ステップＳ９０５）。そして、再訪問数を用いて再訪問ランキングを作成する（ステップＳ９０６）。
【０１３３】
さらに、このあと、受信した情報に出発地から関連施設までの走行履歴情報が含まれているか否かを判断する（ステップＳ９０７）。ステップＳ９０７において、受信した情報に出発地点から関連施設までの走行履歴情報が含まれている場合（ステップＳ９０７：Ｙｅｓ）、出発地ごとに、関連施設までの経路に関するランキングを作成する（ステップＳ９０８）。
【０１３４】
そして、受信した情報に関連施設までの移動の間にアクセスした他のホームページの情報が含まれているか否かを判断する（ステップＳ９０９）。ステップＳ９０９において、他のホームページの情報が含まれていると判断した場合（ステップＳ９０９：Ｙｅｓ）、移動時アクセス数を集計する（ステップＳ９１０）。具体的には、移動時アクセス数を１ポイント加算する。このあと、移動時にアクセスしたホームページのランキングとしての移動時アクセスランキングを作成する（ステップＳ９１１）。
【０１３５】
さらに、受信した情報に所定の項目の情報が含まれているか否かを判断する（ステップＳ９１２）。所定の項目は、関連施設における消費金額、滞在時間のほか、関連施設に対する推奨度（おすすめ度）である。ステップＳ９１２において、所定の項目の情報が含まれていると判断した場合（ステップＳ９１２：Ｙｅｓ）、所定の項目ごとに平均値を集計する（ステップＳ９１３）。
【０１３６】
そして、所定の項目ごとに施設のランキングを作成し（ステップＳ９１４）、一連の処理を終了する。なお、所定の項目に利用者の属性が含まれている場合には、各ランキングを属性ごとに作成してもよい。さらに、時期や季節に応じて各ランキングを作成してもよい。
【０１３７】
一方、ステップＳ９０４において、受信した情報に再訪問数の情報が含まれていないと判断した場合（ステップＳ９０４：Ｎｏ）、ステップＳ９０７に移行する。また、ステップＳ９０７において、受信した情報に出発地から関連施設までの走行履歴情報が含まれていない場合（ステップＳ９０７：Ｎｏ）、ステップＳ９０９に移行する。また、ステップＳ９０９において、他のホームページの情報が含まれていないと判断した場合（ステップＳ９０９：Ｎｏ）、ステップＳ９１２に移行する。また、ステップＳ９１２において、所定の項目の情報が含まれていないと判断した場合（ステップＳ９１２：Ｎｏ）、一連の処理を終了する。
【０１３８】
なお、上述したステップＳ９０１においては、移動体が関連施設に到達した旨の情報を受信するようにしているが、これに限られるものではなく、移動体の走行履歴情報を受信するようにし、情報検索サーバ５０１側で、ホームページへのアクセス後に移動体の関連施設への到達を判別するようにすることも可能である。
【０１３９】
なお、上述したステップＳ９０４、ステップＳ９０７、ステップＳ９０９、ステップＳ９１２においては、ステップＳ９０１において受信した情報内に、それぞれの処理において用いられる各情報が含まれているか否かを判断しているが、これら各情報がステップＳ９０１において受信した情報内に含まれている必要はなく、つまり、各情報をそれぞれ別途受信したか否かを判断するようにしてもよい。
【０１４０】
上述した処理によれば、ホームページのアクセス後に、関連施設に到達した旨の情報が受信された場合、施設ランキングを作成するようにしたので、利用者がホームページを閲覧した後に、実際に訪問した施設のランキングを提供することができる。したがって、施設アクセスランキングの上位のものほど、訪問前に閲覧された回数の多い施設を示しており、当該ホームページが訪問時の参考にされているものと想定できる。したがって、利用者に対して訪問時に役立つランキングを提供することができる。
【０１４１】
また、関連施設への再訪問数を用いて、再訪問ランキングを作成するようにしたので、リピータの多い施設がわかる。リピータが多いということは、その場所の評価が高いということであり、利用者は、飽きのこない優良な施設がわかり、行き先を検討する際に有用な情報を得ることができる。
【０１４２】
また、車両の出発地から関連施設までの走行履歴情報を用いて、出発地ごとに、関連施設までの各経路に関するランキングを作成するようにしたので、ほぼ同じ出発地の他の利用者がどの時刻にどの経路により関連施設に到達したのかがわかり、ドライブスケジュールに役立てることができる。
【０１４３】
また、関連施設までの移動の間にアクセスした他のホームページの情報を用いて、移動時アクセスランキングを作成するようにしたので、利用者は、同じ目的地の人たちが移動時にアクセスしたホームページを閲覧することができ、他の行き先を検討する際の参考にすることができる。
【０１４４】
また、関連施設に対する利用者からの入力に基づく所定の項目ごとに施設のランキングを作成するようにしたので、その施設の評価、具体的には、消費金額、滞在時間、推奨度がわかる。したがって、利用者は、行き先を検討する際に有用な情報を得ることができる。
【０１４５】
また、利用者の属性ごとに各ランキングを作成するようにすれば、自分と同じ趣味や嗜好の人の行き先を参考にすることができる。また、時期や季節ごとに各ランキングを作成するようにすれば、観光地などへ観光シーズンに訪れることができる一方、利用者によっては人の少ない閑散とした時期に訪れるといったことも可能になる。
【０１４６】
（情報検索サーバがおこなう周辺施設ランキングを作成する処理の一例）
つぎに、図１０を用いて、本実施例にかかる情報検索サーバがおこなう周辺施設ランキングを作成する処理の一例について説明する。図１０は、本実施例にかかる情報検索サーバがおこなう周辺施設ランキングを作成する処理の一例を示すフローチャートである。なお、図１０においては、図８のステップＳ８０１に示した、関連地物周辺に到達したことを前提とする。
【０１４７】
図１０において、情報検索サーバ５０１は、周辺施設に到達した旨の情報を受信したか否かを判断する（ステップＳ１００１）。周辺施設に到達した旨の情報を受信するまで待機状態にあり（ステップＳ１００１：Ｎｏのループ）、周辺施設に到達した旨の情報を受信すると（ステップＳ１００１：Ｙｅｓ）、周辺施設訪問数を集計する（ステップＳ１００２）。具体的には、周辺施設訪問数を１ポイント加算する。
【０１４８】
このあと、周辺施設ランキングを作成し（ステップＳ１００３）、一連の処理を終了する。なお、周辺施設ランキングについても、上述したように、利用者の属性ごと、または時期や季節に応じたランキングを作成するようにしてもよい。また、周辺施設に対しても、上述した再訪問ランキングや所定の項目ごとのランキングを作成することも可能である。
【０１４９】
また、上述したステップＳ１００１においては、移動体が周辺施設に到達した旨の情報を受信するようにしているが、これに限られるものではなく、移動体の走行履歴情報を受信するようにし、情報検索サーバ５０１側で、ホームページへのアクセス後に移動体の周辺施設への到達を判別するようにすることも可能である。
【０１５０】
上述した処理によれば、周辺施設に到達した旨の情報を用いて、周辺施設ランキングを作成するようにしたので、利用者は、関連施設に訪れた人々が他に訪問した周辺施設がわかり、行き先を検討する際に有用な情報を得ることができる。
【０１５１】
（情報検索サーバがおこなう各ランキングの送信処理の一例）
つぎに、図１１を用いて、本実施例にかかる情報検索サーバがおこなう各ランキングの送信処理の一例について説明する。図１１は、本実施例にかかる情報検索サーバがおこなう各ランキングの送信処理の一例を示すフローチャートである。
【０１５２】
図１１において、情報検索サーバ５０１は、ナビゲーション装置５０２から地物の検索要求を受け付けたか否かを判断する（ステップＳ１１０１）。検索要求を受け付けるまで待機状態にあり（ステップＳ１１０１：Ｎｏのループ）、検索要求を受け付けると（ステップＳ１１０１：Ｙｅｓ）、ＤＢに、当該地物に対応するランキングがあるか否かを判断する（ステップＳ１１０２）。
【０１５３】
ＤＢに、当該地物に対応するランキングがあると判断した場合（ステップＳ１１０２：Ｙｅｓ）、要求をおこなったナビゲーション装置５０２へ、ランキングを含む検索結果を送信し（ステップＳ１１０３）、一連の処理を終了する。一方、ステップＳ１１０２において、ＤＢに、当該地物に対応するランキングがないと判断した場合（ステップＳ１１０２：Ｎｏ）、要求をおこなったナビゲーション装置５０２へ、ランキングを含まない検索結果を送信し（ステップＳ１１０４）、一連の処理を終了する。
【０１５４】
上述した処理によれば、ナビゲーション装置５０２から地物の検索要求を受け付けた際に、ランキングを当該ナビゲーション装置５０２に送信するようにしたので、利用者は検索時に各ランキングの情報を得ることができ、行き先を検討する際に有用なホームページに簡単にアクセスすることができる。
【０１５５】
（ナビゲーション装置がおこなう情報収集処理の一例）
つぎに、図１２を用いて、本実施例にかかるナビゲーション装置がおこなう情報収集処理の一例について説明する。図１２は、本実施例にかかるナビゲーション装置がおこなう情報収集処理の一例を示すフローチャートである。
【０１５６】
図１２において、ナビゲーション装置５０２は、ホームページにアクセスしたか否かを判断する（ステップＳ１２０１）。ホームページにアクセスするまで待機状態にあり（ステップＳ１２０１：Ｎｏのループ）、ホームページにアクセスすると（ステップＳ１２０１：Ｙｅｓ）、当該ホームページが地物に関連するホームページであるか否かを判断する（ステップＳ１２０２）。
【０１５７】
なお、地物に関するホームページは、利用者が実際に訪問することのできる施設や場所に関するホームページであり、具体的には、固有の施設名、住所、電話番号などの存在する施設や場所に関するホームページである。ステップＳ１２０２において、地物に関連するホームページであると判断した場合（ステップＳ１２０２：Ｙｅｓ）、地物の位置情報を抽出する（ステップＳ１２０３）。地物の位置情報は、たとえば、ホームページに掲載される施設名、住所、電話番号、地図などの情報のほか、検索時におけるワードなどを用いて、予め磁気ディスク７０５に格納される地図データや電話番号リストなどから、抽出される。
【０１５８】
さらに、ホームページにアクセスした地点の位置情報を検出する（ステップＳ１２０４）。そして、アクセスしたホームページの情報およびアクセス地点の位置情報を磁気ディスク７０５に格納する（ステップＳ１２０５）。このあと、所定期間内にホームページに関連する地物周辺に到達したか否かを判断する（ステップＳ１２０６）。所定期間内にホームページに関連する地物周辺に到達したと判断した場合（ステップＳ１２０６：Ｙｅｓ）、当該地物周辺に到達した旨の情報と格納した情報とを情報検索サーバ５０１に送信するタイミングか否かを判断する（ステップＳ１２０７）。
【０１５９】
送信するタイミングは、当該地物から所定の距離の範囲に位置したときでもよいし、当該地物と同一の市町村などに位置したときでもよいし、利用者から送信をおこなう旨の入力を受け付けたときとしてもよい。ステップＳ１２０７において、送信するタイミングとなるまで待機状態にあり（ステップＳ１２０７：Ｎｏのループ）、送信するタイミングとなると（ステップＳ１２０７：Ｙｅｓ）、当該地物周辺に到達した旨の情報と、格納した情報とを送信し（ステップＳ１２０８）、一連の処理を終了する。
【０１６０】
一方、ステップＳ１２０２において、地物に関連するホームページではないと判断した場合（ステップＳ１２０２：Ｎｏ）、一連の処理を終了する。また、ステップＳ１２０６において、所定期間内にホームページに関連する地物周辺に到達しなかった場合（ステップＳ１２０６：Ｎｏ）、一連の処理を終了する。
【０１６１】
上述した処理によれば、ホームページへのアクセス後に、車両が関連地物周辺に到達したことを判別した場合に、当該地物周辺に到達した旨の情報とホームページの情報とを、情報検索サーバ５０１へ送信するようにしたので、情報検索サーバ５０１にて到達アクセスランキングを作成することができる。
【０１６２】
また、ホームページへのアクセス後の所定期間内に、移動体が地物周辺に到達したものか否かを判別するようにしたので、ホームページを閲覧してから到達までの期間を限定したことにより、情報検索サーバ５０１では実際の訪問に際して当該ホームページを参考にした可能性の高いものを到達アクセス数として集計することができる。したがって、利用者は、他の利用者が訪問時に参考にしたホームページに簡単にアクセスすることができる。
【０１６３】
（ナビゲーション装置がおこなう関連施設到達後の情報収集処理の一例）
つぎに、図１３を用いて、本実施例にかかるナビゲーション装置がおこなう関連施設到達後の情報収集処理の一例について説明する。図１３は、本実施例にかかるナビゲーション装置がおこなう関連施設到達後の情報収集処理の一例を示すフローチャートである。
【０１６４】
図１３において、ナビゲーション装置５０２は、ホームページに関連する施設（関連施設）に到達したか否かを判断する（ステップＳ１３０１）。関連施設に到達したと判断するまで待機状態にあり（ステップＳ１３０１：Ｎｏのループ）、関連施設に到達したと判断した場合（ステップＳ１３０１：Ｙｅｓ）、所定時間が経過したか否かを判断する（ステップＳ１３０２）。所定時間は、利用者が関連施設にて所用を済ませる程度の時間である。
【０１６５】
ステップＳ１３０２において、所定時間経過したと判断した場合（ステップＳ１３０２：Ｙｅｓ）、スピーカ７１０およびディスプレイ７１３により、所定の項目に対する入力を促す通知をおこなう（ステップＳ１３０３）。そして、入力デバイス７１１を介して利用者から所定の項目に対する入力があるか否かを判断する（ステップＳ１３０４）。所定の項目は、関連施設における消費金額、滞在時間のほか、関連施設に対する推奨度（おすすめ度）である。利用者からの入力があると（ステップＳ１３０４：Ｙｅｓ）、入力された情報を格納する（ステップＳ１３０５）。
【０１６６】
そして、過去に当該関連施設に到達した履歴があるか否かを判断する（ステップＳ１３０６）。過去に当該関連施設に到達した履歴があると判断した場合（ステップＳ１３０６：Ｙｅｓ）、到達した回数および到達した日時を検出する（ステップＳ１３０７）。このあと、出発地点から関連施設までの走行履歴情報を抽出する（ステップＳ１３０８）。さらに、関連施設までの移動の間にアクセスした他のホームページの情報を抽出する（ステップＳ１３０９）。
【０１６７】
そして、送信するタイミングか否かを判断する（ステップＳ１３１０）。送信するタイミングは、具体的には、利用者から送信をおこなう旨の入力を受け付けたときである。送信するタイミングとなるまで待機状態にあり（ステップＳ１３１０：Ｎｏのループ）、送信するタイミングとなると（ステップＳ１３１０：Ｙｅｓ）、情報検索サーバ５０１へ、各種情報を送信し（ステップＳ１３１１）、一連の処理を終了する。
【０１６８】
なお、各種情報は、関連施設に到達した旨の情報、過去に当該関連施設に訪れた（到達した）回数および日時の情報、出発地点から関連施設までの走行履歴情報、関連施設までの移動の間にアクセスした他のホームページの情報、利用者から入力された所定の項目の情報などである。
【０１６９】
一方、ステップＳ１３０２において、所定時間経過していないと判断した場合（ステップＳ１３０２：Ｎｏ）、具体的には、所定時間経過前に車両が発進した場合、一連の処理を終了する。また、ステップＳ１３０４において、利用者からの入力がないと判断した場合（ステップＳ１３０４：Ｎｏ）、ステップＳ１３０６に移行する。
【０１７０】
なお、利用者からの入力がおこなわれずに移動体が発進した場合などには、信号待ちなどの停車時や、他の目的地や立ち寄り地に到達したときに、適宜入力を促す通知をおこなうようにしてもよい。また、ステップＳ１３０６において、過去に当該関連施設に到達した履歴がないと判断した場合（ステップＳ１３０６：Ｎｏ）、ステップＳ１３０８に移行する。
【０１７１】
上述した処理によれば、関連施設に到達したと判別した場合、関連施設に到達した旨の情報を情報検索サーバ５０１へ送信させるようにしたので、情報検索サーバ５０１にて施設ランキングを作成することができる。したがって、利用者は、施設の訪問に役立つランキングを知ることができる。
【０１７２】
また、走行履歴情報から、到達した回数（再訪問数）および到達した日時を検出するようにし、検出された再訪問数を情報検索サーバ５０１へ送信させるようにすれば、情報検索サーバ５０１にて再訪問ランキングを作成することができる。したがって、利用者は、再訪問ランキングにより、飽きのこない優良な施設がわかり、行き先を検討する際に有用な情報を得ることができる。
【０１７３】
また、本実施例にかかるナビゲーション装置５０２において、関連施設に到達した場合に、関連施設に対する利用者からの所定の項目に対する入力を促す通知をおこなうようにすれば、利用者に所定の項目を入力させることができる。これにより、情報検索サーバ５０１にて、所定の項目ごとに施設のランキングを作成することができる。したがって、利用者は、当該ランキングにより、行き先を検討する際に有用な情報を得ることができる。
【０１７４】
また、車両が関連施設に到達後、所定時間経過後（または当該ナビゲーション装置５０２再起動時）に入力を促す通知をおこなうようにしたので、利用者の当該施設に対する記憶が薄れないうちに、入力させることができるとともに、入力をおこなうこと自体を忘れてしまうといったことを防止することができる。
【０１７５】
（周辺施設に到達した際の情報収集処理の一例）
つぎに、図１４を用いて、周辺施設に到達した際の情報収集処理の一例について説明する。図１４は、周辺施設に到達した際の情報収集処理の一例を示すフローチャートである。
【０１７６】
図１４において、ナビゲーション装置５０２は、関連施設に到達したか否かを判断する（ステップＳ１４０１）。関連施設に到達したと判断するまで待機状態にあり（ステップＳ１４０１：Ｎｏのループ）、関連施設に到達したと判断すると（ステップＳ１４０１：Ｙｅｓ）、周辺施設に位置するか否かを判断する（ステップＳ１４０２）。周辺施設に位置しない場合（ステップＳ１４０２：Ｎｏ）、関連施設から所定距離離れた位置に位置するか否かを判断する（ステップＳ１４０３）。
【０１７７】
関連施設から所定距離離れた位置に位置していない場合（ステップＳ１４０３：Ｎｏ）、ステップＳ１４０２に移行する。一方、関連施設から所定距離離れた位置に位置している場合（ステップＳ１４０３：Ｙｅｓ）、一連の処理を終了する。ステップＳ１４０２において、周辺施設に位置している場合（ステップＳ１４０２：Ｙｅｓ）、周辺施設の情報を格納する（ステップＳ１４０４）。なお、周辺施設の情報は、当該周辺施設の名称や位置などの情報である。
【０１７８】
そして、情報検索サーバ５０１へ周辺施設の情報を送信するタイミングか否かを判断する（ステップＳ１４０５）。送信するタイミングは、具体的には、利用者から送信をおこなう旨の入力を受け付けたときである。送信するタイミングとなるまで待機状態にあり（ステップＳ１４０５：Ｎｏのループ）、送信するタイミングとなると（ステップＳ１４０５：Ｙｅｓ）、情報検索サーバ５０１へ、周辺施設の情報を送信し（ステップＳ１４０６）、一連の処理を終了する。
【０１７９】
上述した処理によれば、周辺施設に到達したと判別した場合、周辺施設に到達した旨の情報を情報検索サーバ５０１へ送信するようにしたので、情報検索サーバ５０１にて周辺施設ランキングを作成することができる。したがって、利用者は、周辺施設ランキングにより、関連施設に訪れた人々が他に訪問した周辺施設がわかり、行き先を検討する際に有用な情報を得ることができる。
【０１８０】
（ランキングの要求処理の一例）
つぎに、図１５を用いて、本実施例にかかるナビゲーション装置がおこなうランキングの要求処理の一例について説明する。図１５は、本実施例にかかるナビゲーション装置がおこなうランキングの要求処理の一例を示すフローチャートである。
【０１８１】
図１５において、ナビゲーション装置５０２は、利用者により入力デバイス７１１からホームページの検索開始の入力を受け付けたか否かを判断する（ステップＳ１５０１）。検索開始の入力を受け付けるまで待機状態にあり（ステップＳ１５０１：Ｎｏのループ）、検索開始の入力を受け付けると（ステップＳ１５０１：Ｙｅｓ）、到達アクセスランキングの送信要求をおこなう（ステップＳ１５０２）。
【０１８２】
そして、検索結果を受信する（ステップＳ１５０３）。このあと、検索結果に到達アクセスランキングの情報が含まれるか否かを判断する（ステップＳ１５０４）。検索結果に到達アクセスランキングの情報が含まれる場合（ステップＳ１５０４：Ｙｅｓ）、到達アクセスランキングを含む検索結果を表示し（ステップＳ１５０５）、一連の処理を終了する。
【０１８３】
また、検索結果に到達アクセスランキングの情報が含まれない場合（ステップＳ１５０４：Ｎｏ）、到達アクセスランキングのない検索結果を表示し（ステップＳ１５０６）、一連の処理を終了する。なお、到達アクセスランキングを受信する際には、施設ランキング、再訪問ランキング、移動時アクセスランキングなど、他のランキング情報も同時に受信する。
【０１８４】
上述した処理によれば、アクセスランキングの情報を、情報検索サーバ５０１に対してホームページの検索時に要求し、当該要求により情報検索サーバ５０１から受信した到達アクセスランキングを表示するようにしたので、利用者は、行き先を検討する際に有用なホームページに簡単にアクセスすることが可能になる。
【０１８５】
（ナビゲーション装置がおこなう表示処理の一例）
つぎに、図１６−１および図１６−２を用いて、本実施例にかかるナビゲーション装置がおこなう表示処理の一例について説明する。図１６−１および図１６−２は、本実施例にかかるナビゲーション装置がおこなう表示処理の一例を示すフローチャートである。なお、図１６−１および図１６−２の説明においては、図１９〜図３１に示す表示画面についても同時に説明する。図１９〜図３１は、表示画面の一例を示す説明図である。
【０１８６】
図１６−１のフローチャートにおいて、たとえば、利用者から施設名称検索が選択されると、検索名称入力画面１９００（図１９参照）が表示される（ステップＳ１６０１）。この検索名称入力画面１９００において、たとえば、「東照宮」が入力され、検索が実行されると（ステップＳ１６０２）、検索結果画面２０００（図２０参照）に移行する（ステップＳ１６０３）。
【０１８７】
検索結果画面２０００は、日光東照宮の周辺の地図や現在位置からの距離などを示した表示画面である。この検索結果画面２０００にて、「ここへ行く」ボタン２００１が押されると（ステップＳ１６０４：Ｙｅｓ）、ルート探索を実行し（ステップＳ１６０５）、一連の処理を終了する。
【０１８８】
また、この検索結果画面２０００にて、「ここへ行く」ボタン２００１が押されず（ステップＳ１６０４：Ｎｏ）、「ここを登録する」ボタン２００４が押された場合（ステップＳ１６０６：Ｙｅｓ）、地点登録を実行する（ステップＳ１６０７）。また、「ここを登録する」ボタン２００４が押されず（ステップＳ１６０６：Ｎｏ）、「詳細情報を見る」ボタン２００２が押された場合（ステップＳ１６０８：Ｙｅｓ）、第１詳細情報画面２１００に遷移し（ステップＳ１６０９）、一連の処理を終了する。
【０１８９】
また、検索結果画面２０００にて、「詳細情報を見る」ボタン２００２が押されず（ステップＳ１６０８：Ｎｏ）、「ホームページ（ＨＰ）アクセスランキングを見る」ボタン２００３が押されると（ステップＳ１６１０：Ｙｅｓ）、ＨＰアクセスランキング画面２２００（図２２参照）に遷移する（ステップＳ１６１１）。一方、「戻る」ボタン２００５が押されないことを前提とし、「ホームページ（ＨＰ）アクセスランキングを見る」ボタン２００３が押されるまでは（ステップＳ１６１０：Ｎｏ）、ステップＳ１６０４に移行する。なお、「戻る」ボタン２００５が押されると、上述した検索名称入力画面１９００（図１９参照）に遷移する。
【０１９０】
ＨＰアクセスランキング画面２２００は、アクセス訪問者数（到達アクセス数に相当）順に、ホームページのタイトルを並べた表示画面を示している。なお、アクセス数は、単なるホームページへのアクセス数を示している。
【０１９１】
ＨＰアクセスランキング画面２２００において、「戻る」ボタン２２０２が押されないことを前提とし、「ランキングの順位（数字）」ボタン２２０１のうちいずれか一つが押されるまで待機する（ステップＳ１６１２：Ｎｏのループ）。「ランキングの順位（数字）」ボタン２２０１のうちいずれか一つが押されると（ステップＳ１６１２：Ｙｅｓ）、選択されたホームページ表示画面２３００（図２３参照）へ遷移する（ステップＳ１６１３）。そして、選択されたホームページのＵＲＬを記憶する（ステップＳ１６１４）。
【０１９２】
このあとの処理については、図１６−２に示すフローチャートに示す。ホームページ表示画面２３００において、符号２３０２に示す「戻る」ボタン、「検索結果画面に戻る」ボタン、「検索名称入力画面へ飛ぶ」ボタンが押されないことを前提とし、「各種ランキング」ボタン２３０１が押されるまで待機する（ステップＳ１６１５：Ｎｏのループ）。なお「戻る」ボタン、「検索結果画面に戻る」ボタン、「検索名称入力画面へ飛ぶ」ボタンが押されると、それぞれ対応する画面（ＨＰアクセスランキング画面２２００、検索結果画面２０００、検索名称入力画面１９００）に遷移する。
【０１９３】
「各種ランキング」ボタン２３０１が押されると（ステップＳ１６１５：Ｙｅｓ）、各種ランキング表示画面（図２４〜図２６参照）に遷移する（ステップＳ１６１６）。なお、以下の説明では、ホームページ表示画面２３００の「掲載施設ランキング」ボタン２３０３が押されたものとして、図２４に示す掲載施設ランキング画面２４００を用いて説明する。掲載施設ランキング画面２４００は、ホームページ表示画面２３００にて表示されたホームページにおいて掲載される施設の施設ランキング（ホームページの閲覧後に到達した施設のランキング）を示したものである。
【０１９４】
掲載施設ランキング画面２４００において、「戻る」ボタン２４０１が押されると（ステップＳ１６１７：Ｙｅｓ）、ホームページ表示画面２３００へ戻り（ステップＳ１６１８）、図１６−１のステップＳ１６１４に移行する。「戻る」ボタン２４０１が押されず（ステップＳ１６１７：Ｎｏ）、「検索結果画面に戻る」ボタン２４０２が押された場合（ステップＳ１６１９：Ｙｅｓ）、検索結果画面２０００（図２０参照）へ遷移し（ステップＳ１６２０）、図１６−１のステップＳ１６０３に移行する。
【０１９５】
「検索結果画面に戻る」ボタン２４０２が押されず（ステップＳ１６１９：Ｎｏ）、「検索名称入力画面へ飛ぶ」ボタン２４０３が押されると（ステップＳ１６２１：Ｙｅｓ）、検索名称入力画面１９００（図１９参照）へ遷移し（ステップＳ１６２２）、図１６−１のステップＳ１６０１に移行する。
【０１９６】
また、「検索名称入力画面へ飛ぶ」ボタン２４０３が押されず（ステップＳ１６２１：Ｎｏ）、「リピータ数ランキング表示」ボタン２４０４が押されると（ステップＳ１６２３：Ｙｅｓ）、リピータ数ランキング画面２５００（図２５参照）に遷移し（ステップＳ１６２４）、ステップＳ１６１５に移行する。リピータ数ランキング画面２５００は、ホームページ表示画面２３００にて表示されたホームページにおいて掲載される施設のうち、再訪問数が多いものから順に施設を並べた表示画面を示している。
【０１９７】
なお、ステップＳ１６２４の後にステップＳ１６１５に移行した後の処理においては、リピータ数ランキング画面２５００に表示されていないボタンによる処理（たとえば、ステップＳ１６２３などの処理）は適宜省略される。
【０１９８】
「リピータ数ランキング表示」ボタン２４０４が押されず（ステップＳ１６２３：Ｎｏ）、「滞在時間ランキング表示」ボタン２４０５が押されると（ステップＳ１６２５：Ｙｅｓ）、図示しない滞在時間ランキング画面に遷移し（ステップＳ１６２６）、ステップＳ１６１５に遷移する。「滞在時間ランキング表示」ボタン２４０５が押されず（ステップＳ１６２５：Ｎｏ）、「消費金額ランキング表示」ボタン２４０６が押されると（ステップＳ１６２７：Ｙｅｓ）、消費金額ランキング画面２６００（図２６参照）に遷移し（ステップＳ１６２８）、ステップＳ１６１５に移行する。消費金額ランキング２６００は、消費金額の多い順に施設を並べた表示画面を示しており、おみやげ費や宿泊費などの金額ごとに細分化して表示されている。
【０１９９】
なお、ステップＳ１６２８の後にステップＳ１６１５に移行した後の処理においては、リピータ数ランキング画面２５００に表示されていないボタンによる処理（たとえば、ステップＳ１６２７などの処理）は適宜省略される一方、消費金額ランキング画面２６００に表示されているボタンによる処理（図２６符号２６０１参照）については、適宜、対応する処理がおこなわれる。なお、これについては、上述した滞在時間ランキング画面や、後述するおすすめ度ランキング画面についても同様である。
【０２００】
また、「消費金額ランキング表示」ボタン２４０６が押されず（ステップＳ１６２７：Ｎｏ）、「おすすめ度ランキング表示」ボタン２４０７が押されると（ステップＳ１６２９：Ｙｅｓ）、おすすめ度ランキング画面に遷移し（ステップＳ１６３０）、ステップＳ１６１５に移行する。「おすすめ度ランキング表示」ボタン２４０７が押されず（ステップＳ１６２９：Ｎｏ）、「ランキング順位（数字）」ボタン２４０８が押されると（ステップＳ１６３１：Ｙｅｓ）、第２詳細情報画面２７００（図２７参照）遷移し（ステップＳ１６３２）、後述する図１７に示すフローチャートに移行する。
【０２０１】
第２詳細情報画面２７００は、各施設の詳細な情報を示した表示画面である。「ランキング順位（数字）」ボタン２４０８が押されない場合（ステップＳ１６３１：Ｎｏ）、ステップＳ１６１７に移行する。
【０２０２】
なお、上述した説明では、ステップＳ１６１５において、ホームページ表示画面２３００の「掲載施設ランキング」ボタン２３０３が押されたものとし、図２４に示す掲載施設ランキング画面２４００に移行したものとして説明したが、ホームページ表示画面２３００の「アクセス者の趣味別ランキング」ボタン２３０４が押された場合には、趣味別ランキング画面２８００（図２８参照）に移行する。趣味別ランキング画面２８００は、利用者の趣味別に到達アクセス数（趣味別のＨＰアクセス者の訪問数）の高い順に並べたランキングを示している。
【０２０３】
また、「アクセス者が訪れた他の場所ランキング」ボタン２３０５が押された場合には、アクセス者が訪れた他の場所ランキング画面２９００（図２９参照）に移行する。アクセス者が訪れた他の場所ランキング画面２９００は、東照宮周辺の他の訪問した施設のランキングを示している。また、「アクセス者の出発地点別ランキング」ボタン２３０６が押された場合には、出発地点／出発時間情報画面３１００（図３１参照）に移行する。出発地点／出発時間情報画面３１００は、日光東照宮までの参考となる経路を検索する際の出発地を選択するための画面を示している。また、「掲載店舗ランキング」ボタン２３０７が押された場合には、ランキングの対象を店舗として、掲載施設ランキング画面２４００と同様の画面に移行する。
【０２０４】
また、ステップＳ１６２８の消費金額ランキング画面２６００（図２６参照）においては、さらに詳細なランキングを表示することができるボタン２６０１が表示されており、この中から、「駐車場制限詳細表示」ボタン２６０２が押されると、駐車場制限詳細画面３０００（図３０参照）に移行する。駐車場制限詳細画面３０００は、各駐車場の高さ制限、幅制限、段差の状況を示した表示画面である。なお、駐車場制限詳細画面３０００において、「−」の表示は、制限のないこと、または段差のないことを示している。
【０２０５】
（ナビゲーション装置がおこなう第２詳細情報画面からの表示処理の一例）
つぎに、図１７を用いて、本実施例にかかるナビゲーション装置がおこなう第２詳細情報画面からの表示処理の一例について説明する。図１７は、本実施例にかかるナビゲーション装置がおこなう第２詳細情報画面からの表示処理の一例を示すフローチャートである。なお、図１７のフローチャートは、図１６−２に示したステップＳ１６３１以降の処理である。また、図１７のフローチャートの説明と同時に、図３１、３２に示す表示画面についても説明する。図３１、３２は、表示画面の一例を示す説明図である。
【０２０６】
図１７においては、第２詳細情報画面２７００（図２７参照）が表示されている状態であり、「戻る」ボタン２７０１が押されると（ステップＳ１７０１：Ｙｅｓ）、各種ランキング画面（たとえば、掲載施設ランキング画面２４００）へ遷移し（ステップＳ１７０２）、図１６−２に示したステップＳ１６１６に移行する。「戻る」ボタン２７０１が押されず（ステップＳ１７０１：Ｎｏ）、「ここへ行く」ボタン２７０２が押されると（ステップＳ１７０３：Ｙｅｓ）、ルート探索を実行する（ステップＳ１７０４）。
【０２０７】
そして、検索履歴としてＵＲＬとともに記憶する（ステップＳ１７０５）。一方、「ここへ行く」ボタン２７０２が押されず（ステップＳ１７０３：Ｎｏ）、「ここを登録する」ボタン２７０３が押されると（ステップＳ１７０６：Ｙｅｓ）、地点登録を実行し（ステップＳ１７０７）、ステップＳ１７０５に移行する。ステップＳ１７０５の処理のあと、案内開始が指示されたか否かを判断する（ステップＳ１７０８）。案内開始の指示は、具体的には、利用者からの「案内開始」を示す入力である。
【０２０８】
一方、ステップＳ１７０８において、案内開始が指示されると（ステップＳ１７０８：Ｙｅｓ）、目的地に到着したか否かを判断する（ステップＳ１７０９）。目的地に到着したと判断すると（ステップＳ１７０９：Ｙｅｓ）、訪問情報としてＵＲＬとともに記憶し（ステップＳ１７１０）、一連の処理を終了する。なお、記憶される情報は、図１８−２を用いて後述するが、情報検索サーバ５０１に適宜送信される。また、ステップＳ１７０８において、案内開始が指示されない場合（ステップＳ１７０８：Ｎｏ）一連の処理を終了する。また、ステップＳ１７０９において、目的地に到着していないと判断すると（ステップＳ１７０９：Ｎｏ）、一連の処理を終了する。
【０２０９】
ステップＳ１７０６において、「ここを登録する」ボタン２７０３が押されず（ステップＳ１７０６：Ｎｏ）、「出発地点／出発時間情報を見る」ボタン２７０４が押されると（ステップＳ１７１１：Ｙｅｓ）、出発地点／出発時間情報画面３１００（図３１参照）に遷移する（ステップＳ１７１２）。また、ステップＳ１７１１において、「出発地点／出発時間情報を見る」ボタン２７０４が押されない場合（ステップＳ１７１１：Ｎｏ）、ステップＳ１７０１に移行する。ステップＳ１７１２の出発地点／出発時間情報画面３１００において、「戻る」ボタン３１０１が押されると（ステップＳ１７１３：Ｙｅｓ）、ステップＳ１７０１に移行する。
【０２１０】
また、「戻る」ボタン３１０１が押されず（ステップＳ１７１３：Ｎｏ）、地域が選択されると（ステップＳ１７１４：Ｙｅｓ）、出発地点／出発時間詳細情報画面３２００（図３２参照）に遷移する（ステップＳ１７１５）。なお、地域が選択されるまでは待機状態となる（ステップＳ１７１４：Ｎｏのループ）。
【０２１１】
また、出発地点／出発時間詳細情報画面３２００において、「戻る」ボタン３２０１が押されるまで待機状態にあり（ステップＳ１７１６：Ｎｏのループ）、「戻る」ボタン３２０１が押されると（ステップＳ１７１６：Ｙｅｓ）、ステップＳ１７１２に移行する。なお、出発地点／出発時間詳細情報画面３２００において、たとえば、各時間表示３２０２を押すと、当該所要時間に対応する各経路を時間帯などの詳細な情報を表示することも可能である。
【０２１２】
（ナビゲーション装置がおこなう所定の項目の入力を受け付ける際の表示処理の一例）
つぎに、図１８−１および図１８−２を用いて、本実施例にかかるナビゲーション装置がおこなう所定の項目の入力を受け付ける際の表示処理の一例について説明する。図１８−１および図１８−２は、本実施例にかかるナビゲーション装置がおこなう所定の項目の入力を受け付ける際の表示処理の一例を示すフローチャートである。なお、図１８−１および図１８−２の説明においては、図３３，３４に示す表示画面についても同時に説明する。図３３，３４は、表示画面の一例を示す説明図である。
【０２１３】
図１８−１においては、ナビゲーション装置５０２の電源がオンになるまで待機状態にあり（ステップＳ１８０１：Ｎｏのループ）、電源がオンになると（ステップＳ１８０１：Ｙｅｓ）、最後に設定した目的地が現在地点か否かを判断する（ステップＳ１８０２）。最後に設定した目的地が現在地点である場合（ステップＳ１８０２：Ｙｅｓ）時間のカウントを開始する（ステップＳ１８０３）。
【０２１４】
そして、消費金額／おすすめ度入力確認画面３３００（図３３参照）に遷移する（ステップＳ１８０４）。消費金額／おすすめ度入力確認画面３３００は、消費金額とおすすめ度の入力を促すための表示画面を示している。なお、このような表示画面において、滞在時間の入力を促す画面にすることも可能である。この消費金額／おすすめ度入力確認画面３３００において、「地図画面へ進む」ボタン３３０１が押されると（ステップＳ１８０５：Ｙｅｓ）、一定時間が経過したか否かを判断する（ステップＳ１８１６）。
【０２１５】
「地図画面へ進む」ボタン３３０１が押されずに（ステップＳ１８０５：Ｎｏ）、「おみやげ金額追加入力」ボタン３３０２が押されると（ステップＳ１８０６：Ｙｅｓ）、金額入力処理をおこない（ステップＳ１８０７）、ステップＳ１８１６に移行する。金額入力処理は、利用者から「数字」ボタン３３０７を用いて追加金額が入力されると、総額表示に表示される金額に追加金額を加算することによりおこなわれる処理である。
【０２１６】
「おみやげ金額追加入力」ボタン３３０２が押されずに（ステップＳ１８０６：Ｎｏ）、「宿泊費金額追加入力」ボタン３３０３が押されると（ステップＳ１８０８：Ｙｅｓ）、金額入力処理をおこない（ステップＳ１８０９）、ステップＳ１８１６に移行する。「宿泊費金額追加入力」ボタン３３０３が押されずに（ステップＳ１８０８：Ｎｏ）、「駐車料金金額追加入力」ボタン３３０４が押されると（ステップＳ１８１０：Ｙｅｓ）、金額入力処理をおこない（ステップＳ１８１１）、ステップＳ１８１６に移行する。
【０２１７】
「駐車料金金額追加入力」ボタン３３０４が押されずに（ステップＳ１８１０：Ｎｏ）、「施設利用料金金額追加入力」ボタン３３０５が押されると（ステップＳ１８１２：Ｙｅｓ）、金額入力処理をおこない（ステップＳ１８１３）、ステップＳ１８１６に移行する。
【０２１８】
「施設利用料金金額追加入力」ボタン３３０５が押されずに（ステップＳ１８１２：Ｎｏ）、「おすすめ度評価入力」ボタン３３０６が押されると（ステップＳ１８１４：Ｙｅｓ）、おすすめ度を記憶し（ステップＳ１８１５）、ステップＳ１８１６に移行する。一方、ステップＳ１８１４において、「おすすめ度評価入力」ボタン３３０６が押されない場合（ステップＳ１８１４：Ｎｏ）、ステップＳ１８１６に移行する。
【０２１９】
ステップＳ１８１６において、一定時間が経過したと判断した場合（ステップＳ１８１６：Ｙｅｓ）、図１８−２に示すステップＳ１８１８に移行する。一定時間が経過していない場合（ステップＳ１８１６：Ｎｏ）、車両が移動を開始したか否かを判断する（ステップＳ１８１７）。車両が移動を開始していない場合（ステップＳ１８１７：Ｎｏ）、ステップＳ１８０５に移行する。車両が移動を開始した場合（ステップＳ１８１７：Ｙｅｓ）、図１８−２に示すステップＳ１８１８に移行する。また、ステップＳ１８０２において、最後に設定した目的地が現在地点ではないと判断した場合（ステップＳ１８０２：Ｎｏ）、図１８−２に示すステップＳ１８１８に移行する。
【０２２０】
このあとの処理については、図１８−２に示すフローチャートを用いて説明する。図１８−２において、情報検索サーバ５０１に対して未送信の履歴情報があるか否かを判断する（ステップＳ１８１８）。未送信の履歴情報がない場合（ステップＳ１８１８：Ｎｏ）、地図画面へ遷移し（ステップＳ１８１９）、一連の処理を終了する。一方、未送信の履歴情報がある場合（ステップＳ１８１８：Ｙｅｓ）、カーナビ保有履歴情報送信確認画面３４００（図３４参照）に遷移する（ステップＳ１８２０）。カーナビ保有履歴情報送信確認画面３４００は、情報検索サーバ５０１に対して未送信の情報がある場合に表示され、利用者に送信するか否かを問うための画面を示している。
【０２２１】
カーナビ保有履歴情報送信確認画面３４００において、「地図画面表示へ進む」ボタン３４０１が押されると（ステップＳ１８２１：Ｙｅｓ）、ステップＳ１８１９に移行する。「地図画面表示へ進む」ボタン３４０１が押されずに（ステップＳ１８２１：Ｎｏ）、「未送信の履歴情報をサーバに送信する」ボタン３４０２が押されると（ステップＳ１８２２：Ｙｅｓ）、未送信の履歴情報を送信し（ステップＳ１８２３）、ステップＳ１８１９に移行する。
【０２２２】
「未送信の履歴情報をサーバに送信する」ボタン３４０２が押されずに（ステップＳ１８２２：Ｎｏ）、一定時間が経過すると（ステップＳ１８２４：Ｙｅｓ）、ステップＳ１８１９に移行する。一定時間が経過していない場合（ステップＳ１８２４：Ｎｏ）、車両が移動を開始したか否かを判断する（ステップＳ１８２５）。なお、ステップＳ１８２５における判断は、図１８−１のステップＳ１８１７の判断において、車両が移動を開始していない場合におこなわれる処理である。具体的には、ステップＳ１８１７を介さずにステップＳ１８１８に移行した場合におこなわれる処理である。
【０２２３】
ステップＳ１８２５において、車両が移動を開始するまで（ステップＳ１８２５：Ｎｏ）、ステップＳ１８２１に移行し、車両が移動を開始すると（ステップＳ１８２５：Ｙｅｓ）、ステップＳ１８１９に移行する。
【０２２４】
以上説明したように、本実施例にかかる情報検索システム５００に用いられる情報検索サーバ５０１およびナビゲーション装置５０２は、ナビゲーション装置５０２によるホームページへのアクセス後に車両が当該ホームページに関連する地物（関連地物）周辺に到達した場合に、到達アクセス数を集計するとともに、到達アクセスランキングを作成するようにした。つまり、利用者がホームページを閲覧した後、実際に当該ホームページの施設を訪問した場合に、アクセス数が計上される。
【０２２５】
したがって、到達アクセスランキングの上位のものほど、訪問前に閲覧された回数の多いホームページを示しており、当該ホームページが訪問時の参考にされているものと想定できる。これにより、利用者に対して訪問時に役立つランキングを提供することができるとともに、利用者は、行き先を検討する際に有用なホームページに簡単にアクセスすることが可能になる。
【０２２６】
以上説明したように、本発明の情報検索サーバ、情報端末装置、情報作成方法、情報収集方法、情報作成プログラム、情報収集プログラム、および記録媒体によれば、利用者に対して訪問時に役立つランキングを提供することができるとともに、利用者は、行き先を検討する際に有用なホームページに簡単にアクセスすることが可能になる。
【０２２７】
なお、本実施例で説明した情報作成方法および情報収集方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０２２８】
【図１】実施の形態にかかる情報検索サーバの機能的構成の一例を示すブロック図である。
【図２】実施の形態にかかる情報端末装置の機能的構成の一例を示すブロック図である。
【図３】本実施の形態にかかる情報検索サーバの情報作成処理手順の一例を示すフローチャートである。
【図４】本実施の形態にかかる情報端末装置の情報収集処理手順の一例を示すフローチャートである。
【図５】本実施例にかかる情報検索システムの概要を示す説明図である。
【図６】本実施例にかかる情報検索サーバのハードウェア構成の一例を示すブロック図である。
【図７】本実施例にかかるナビゲーション装置のハードウェア構成の一例を示すブロック図である。
【図８】本実施例にかかる情報検索サーバがおこなう到達アクセスランキングを作成する処理の一例を示すフローチャートである。
【図９】本実施例にかかる情報検索サーバがおこなう各ランキングを作成する処理の一例を示すフローチャートである。
【図１０】本実施例にかかる情報検索サーバがおこなう周辺施設ランキングを作成する処理の一例を示すフローチャートである。
【図１１】本実施例にかかる情報検索サーバがおこなう各ランキングの送信処理の一例を示すフローチャートである。
【図１２】本実施例にかかるナビゲーション装置がおこなう情報収集処理の一例を示すフローチャートである。
【図１３】本実施例にかかるナビゲーション装置がおこなう関連施設到達後の情報収集処理の一例を示すフローチャートである。
【図１４】周辺施設に到達した際の情報収集処理の一例を示すフローチャートである。
【図１５】本実施例にかかるナビゲーション装置がおこなうランキングの要求処理の一例を示すフローチャートである。
【図１６−１】本実施例にかかるナビゲーション装置がおこなう表示処理の一例を示すフローチャートである。
【図１６−２】本実施例にかかるナビゲーション装置がおこなう表示処理の一例を示すフローチャートである。
【図１７】本実施例にかかるナビゲーション装置がおこなう第２詳細情報画面からの表示処理の一例を示すフローチャートである。
【図１８−１】本実施例にかかるナビゲーション装置がおこなう所定の項目の入力を受け付ける際の表示処理の一例を示すフローチャートである。
【図１８−２】本実施例にかかるナビゲーション装置がおこなう所定の項目の入力を受け付ける際の表示処理の一例を示すフローチャートである。
【図１９】表示画面の一例を示す説明図である。
【図２０】表示画面の一例を示す説明図である。
【図２１】表示画面の一例を示す説明図である。
【図２２】表示画面の一例を示す説明図である。
【図２３】表示画面の一例を示す説明図である。
【図２４】表示画面の一例を示す説明図である。
【図２５】表示画面の一例を示す説明図である。
【図２６】表示画面の一例を示す説明図である。
【図２７】表示画面の一例を示す説明図である。
【図２８】表示画面の一例を示す説明図である。
【図２９】表示画面の一例を示す説明図である。
【図３０】表示画面の一例を示す説明図である。
【図３１】表示画面の一例を示す説明図である。
【図３２】表示画面の一例を示す説明図である。
【図３３】表示画面の一例を示す説明図である。
【図３４】表示画面の一例を示す説明図である。
【符号の説明】
【０２２９】
１００  情報検索サーバ
１０１  受信部
１０２  集計部
１０３  作成部
１０４  判別部
１０５  送信部
２００  情報端末装置
２０１  格納部
２０２  判別部
２０３  制御部
２０４  送信部
２０５  要求部
２０６  受信部
２０７  表示部
２０８  検出部
２０９  通知制御部
５００  情報検索システム
５０１  情報検索サーバ
５０２  ナビゲーション装置
【図１】
2009157801.tif 000003
【図２】
2009157801.tif 000004
【図３】
2009157801.tif 000005
【図４】
2009157801.tif 000006
【図５】
2009157801.tif 000007
【図６】
2009157801.tif 000008
【図７】
2009157801.tif 000009
【図８】
2009157801.tif 000010
【図９】
2009157801.tif 000011
【図１０】
2009157801.tif 000012
【図１１】
2009157801.tif 000013
【図１２】
2009157801.tif 000014
【図１３】
2009157801.tif 000015
【図１４】
2009157801.tif 000016
【図１５】
2009157801.tif 000017
【図１６−１】
2009157801.tif 000018
【図１６−２】
2009157801.tif 000019
【図１７】
2009157801.tif 000020
【図１８−１】
2009157801.tif 000021
【図１８−２】
2009157801.tif 000022
【図１９】
2009157801.tif 000023
【図２０】
2009157801.tif 000024
【図２１】
2009157801.tif 000025
【図２２】
2009157801.tif 000026
【図２３】
2009157801.tif 000027
【図２４】
2009157801.tif 000028
【図２５】
2009157801.tif 000029
【図２６】
2009157801.tif 000030
【図２７】
2009157801.tif 000031
【図２８】
2009157801.tif 000032
【図２９】
2009157801.tif 000033
【図３０】
2009157801.tif 000034
【図３１】
2009157801.tif 000035
【図３２】
2009157801.tif 000036
【図３３】
2009157801.tif 000037
【図３４】
2009157801.tif 000038